(57)【特許請求の範囲】
【請求項１】
機械によって読み取り可能な記録媒体であって、
第１の情報ストリームに第１の値を割り当て、
前記第１の情報ストリームに割り当てられた前記第１の値から独立している第２の値を第２の情報ストリームに割り当てるとともに、前記第１の情報ストリームに対して、前記第２の情報ストリームの周期性と異なる周期性を割り当て、
前記第１の値及び前記第２の値を結合して合成値を生成し、ここにおいて、前記合成値は、前記第１の値に前記第１の値の最大値を乗算し、乗算値に前記第２の値を加算して得られる加算値に基づいて生成される、
高エネルギービーコン信号を含む波形であって前記合成値の関数である波形を送信するための機械によって実行可能な命令を格納している、機械によって読み取り可能な記録媒体。
【請求項２】
前記第１の値は、第１の部分組のブロードキャスト情報を表し、前記第２の値は、第２の部分組のブロードキャスト情報を表す請求項１に記載の機械によって読み取り可能な記録媒体。
【請求項３】
無線通信システムにおいて、装置であって、
第１の情報ストリーム及び第２の情報ストリームに各々独立した第１及び第２の値を割り当てるとともに、前記第１の情報ストリームに対して、前記第２の情報ストリームの周期性と異なる周期性を割り当て、
高エネルギービーコン信号を含む波形において送信するために前記独立した第１及び第２の値を結合して合成値を得るように構成されたプロセッサであって、
前記独立した第１及び第２の値は、選択的にコーディング及び復号することができ、前記合成値は、前記第１の値に前記第１の値の最大値を乗算し、乗算値に前記第２の値を加算して得られる加算値に基づいて生成され、前記波形は、前記合成値の関数であるプロセッサ、を具備する、装置。
【請求項４】
基地局から情報を受信することを容易にする方法であって、
波形に含まれる高レベルビーコン信号を受信することであって、前記波形は、第１の値及び第２の値を結合して得られる合成値の関数であり、前記合成値は、前記第１の値に前記第１の値の最大値を乗算し、乗算値に前記第２の値を加算して得られる加算値に基づいて生成されることと、
前記第１の値を第１の情報ストリームとして解釈することと、
前記第２の値を第２の情報ストリームとして解釈すること、とを具備し、
前記第１の値を解釈することは、｛Ｙｉ｝ビットのシーケンスを復号することを具備し、前記第２の値を解釈することは、信号｛Ｘｉ｝を復号することを具備し、前記信号｛Ｘｉ｝は、｛Ｙｉ｝ビットの前記シーケンスの周期性から独立している周期性を有する、方法。
【請求項５】
前記第１の情報ストリームは、第１の部分組のブロードキャスト情報を表し、前記第２の情報ストリームは、第２の部分組ブロードキャスト情報を表す請求項４に記載の方法。
【請求項６】
前記波形は、小さい自由度を占める請求項４に記載の方法。
【請求項７】
前記第１の値を第１の情報ストリームとして解釈することは、｛ｃｉ｝におけるビット｛Ｙｉ｝のシーケンスを決定することであって、｛Ｙｉ｝は、単一のビットを表すことと、
複数の情報ビット｛ｃｉ｝の各々を復号することと、を具備する請求項４に記載の方法。
【請求項８】
前記第２の値を第２の情報ストリームとして解釈することは、
｛ｂｉ｝に含まれる｛Ｘｉ｝の関数である信号を受信することと、
情報ビット｛ｂｉ｝を復号することと、を具備する請求項４に記載の方法。
【請求項９】
前記第１の値及び前記第２の値の前記結合は、前記第１の情報ストリームのスペース及び前記第２の情報ストリームのスペースよりも大きいスペースを占める波形を具備する請求項４に記載の方法。
【請求項１０】
前記高レベルビーコン信号は、その他の信号と実質的に同時に受信される請求項４記載の方法。
【請求項１１】
ビーコン信号において受信された情報を選択的に復号する無線通信装置であって、
高エネルギービーコン信号を含む波形であって第１の値及び第２の値を結合して得られる合成値の関数である波形を受信すること、ここにおいて、前記合成値は、前記第１の値に前記第１の値の最大値を乗算し、乗算値に前記第２の値を加算して得られる加算値に基づいて生成され、前記第１の値を独立して復号して第１の部分組の情報を入手すること、前記第２の値を独立して復号して第２の部分組の情報を入手すること、前記第１の値には前記第２の値の周期性と異なる周期性を割り当てること、に関連する命令を保持している、メモリと、
前記メモリに結合され、前記メモリ内に保持される前記命令を実行するように構成されたプロセッサと、を具備する、無線通信装置。
【請求項１２】
前記第２の値は、前記第１の値のタイミングシーケンスと異なる間隔で繰り返すことができるタイミングシーケンスを提供する請求項１１に記載の無線通信装置。
【請求項１３】
前記波形を受信することは、前記ビーコン信号のバーストを、その他の受信されたビーコン信号のバーストと比較して高エネルギーで受信されるとして識別することを含む請求項１１に記載の無線通信装置。
【請求項１４】
波形を表す２つの独立した情報ストリームを解読することを可能にする無線通信装置であって、
高エネルギービーコン信号を含む波形を受信するための手段と、
前記波形を独立した情報ストリーム値に分割するための手段と、
前記独立した情報ストリーム値からの第１の情報ストリームの第１の値及び第２の情報ストリームの第２の値を解読するための手段であって、前記波形は、前記前記第１の値及び前記第２の値を結合して得られる合成値の関数であり、前記合成値は、前記第１の値に前記第１の値の最大値を乗算し、乗算値に前記第２の値を加算して得られる加算値に基づいて生成される手段と、を具備し、
前記第２の値の周期性と異なる前記第１の値の周期性を解釈するための手段をさらに具備する、無線通信装置。
【請求項１５】
高エネルギービーコン信号を受信するための前記手段は、波形マッピングを受信するのと実質的に同時にその他の信号を受信する請求項１４に記載の無線通信装置。
【請求項１６】
前記第１の情報ストリームを｛ｂｉ｝に含まれる信号｛Ｘｉ｝として解読するための手段と、前記第２の情報ストリームを｛ｃｉ｝に含まれる｛Ｙｉ｝のシーケンスとして解読するための手段であって、｛Ｙｉ｝は、単一のビットを表す手段と、をさらに具備する請求項１４に記載の無線通信装置。
【請求項１７】
｛Ｘｉ｝は、ブロードキャストメッセージの選択されたブロックを示し、｛Ｙｉ｝は、前記選択されたブロック内における所在場所を示す請求項１６に記載の無線通信装置。
【請求項１８】
機械によって読み取り可能な記録媒体であって、
高エネルギービーコン信号を含み、第１の値と第２の値とを結合して得られる合成値を具備する波形であって、前記合成値は、前記第１の値に前記第１の値の最大値を乗算し、乗算値に前記第２の値を加算して得られる加算値に基づいて生成され、前記第１の値には前記第２の値の周期性と異なる周期性が割り当てられた波形を、受信し、
前記合成値から前記第１の値を再生成して第１の情報ストリームを導き出し、
前記合成値から前記第２の値を再生成して第２の情報ストリームを導き出すための機械によって実行可能な命令を格納している、機械によって読み取り可能な記録媒体。
【請求項１９】
前記ビーコン信号をその他の受信されたビーコン信号と比較して高エネルギーで受信することをさらに具備する請求項１８に記載の機械によって読み取り可能な記録媒体。
【請求項２０】
前記第１の値は、第１の部分組のブロードキャスト情報を表し、前記第２の値は、第２の部分組みのブロードキャスト情報を表す請求項１８に記載の機械によって読み取り可能な記録媒体。
【請求項２１】
無線通信システムにおいて、装置であって、
第１及び第２の独立した値を結合して得られる合成値を含む波形を受信し、ここにおいて、前記合成値は、前記第１の値に前記第１の値の最大値を乗算し、乗算値に前記第２の値を加算して得られる加算値に基づいて生成され、
前記結合からの前記第１の値を復号して第１の情報ストリームを入手し、
前記結合からの前記第２の値を復号して第２の情報ストリームを入手するように構成され、前記第１の値には前記第２の値の周期性と異なる周期性が割り当てられた、プロセッサを具備する、装置。
【発明の詳細な説明】
【技術分野】
【０００１】
関連出願の相互参照
本特許出願は、“METHODS AND APPARATUS FOR ENCODING INFORMATION IN BEACON SIGNALS”（ビーコン信号における情報を符号化するための方法及び装置）いう題名を有する米国仮特許出願一連番号６０／８１４，３１７（出願日：２００６年６月１６日）及び“METHODS AND APPARATUS FOR PROGRESSIVELY BROADCASTING INFORMATION IN BEACON SIGNALS”（ビーコン信号において情報を漸進的にブロードキャストするための方法及び装置）いう題名を有する米国仮特許出願一連番号６０／８１４，６５２（出願日：２００６年６月１６日）の利益を主張するものであり、これらの出願は、その全体が本明細書において参照されることによって本明細書に組み入れられている。
【０００２】
以下の説明は、一般的には、無線通信におけるシグナリングに関するものである。以下の説明は、より具体的には、様々な目的のために用いられる情報をコーディングするためにビーコン信号を用いることに関するものである。
【背景技術】
【０００３】
無線通信システムにおいては、交信局（例えば、基地局）が、地理上の地域内の端末と呼ばれるその他の局にサービスを提供している。交信局は、通常は、端末が交信局によって提供されるサービスを用いるかどうか及びスペクトル全般をどのように利用するかを決定できるようにするためにサービスに関する必要なシステム情報を学ぶのを援助するためのブロードキャスト情報を送信する。ブロードキャストチャネル容量は限られており、従って、全ブロードキャスト情報を同時に送信することができない場合がある。一般的には、異なるブロードキャスト情報は異なる優先度を有していて異なるブロードキャスティングサイクルを要求することができる。ブロードキャスト情報の送信は（例えば、交信局と端末との間においてタイミング及び周波数同期化が存在しないことを含む不確定要因に対して）強固でありさらに端末受信機における電力的に効率的な信号処理アルゴリズムを可能にすることが望まれる。
【発明の概要】
【０００４】
以下は、１つ以上の側面についての基本的な理解を可能にするためにこれらの側面の単純化された要約を示すものである。この要約は、すべての企図されている側面を広範囲にわたって概説したものではなく、全側面の主要な又は極めて重要な要素を識別すること及びいずれかの又はすべての側面の適用範囲を詳細に説明することのいずれも意図されていない。以下の説明の唯一の目的は、後述される発明を実施するための最良の形態の準備段階として１つ以上の側面の幾つかの概念を単純な形で提示することである。
【０００５】
本発明の１つ以上の例及び対応する開示により、無線通信システムにおいてブロードキャスト情報を送信する方法を改良することに関係して様々な側面が説明される。
【０００６】
側面は、基地局を動作させる方法に関するものである。前記方法は、第１の情報ストリームに第１の値を割り当てることと、第２の情報ストリームに第２の値を割り当てること、とを含むことができる。前記第１の情報ストリーム及び前記第２の情報ストリームは、結合することができ、前記結合された情報ストリームから合成値を生成することができる。前記方法は、前記合成値の関数として波形を送信することをさらに含むことができる。
【０００７】
他の側面は、波形を表す２つの情報ストリームを生成する無線通信装置に関するものである。前記装置は、メモリと、プロセッサと、を含むことができる。前記メモリは、第１の情報ストリームに関する第１の値を決定すること及び第２の情報ストリームに関する第２の値を決定することに関連する命令を保持することができる。メモリ内に保持されるさらなる命令は、該値を結合して合成値を生成すること及び前記合成値の関数として波形を送信することに関連するものであることができる。前記プロセッサは、前記メモリに結合することができ、前記メモリ内に保持される前記命令を実行するように構成することができる。
【０００８】
さらに他の側面は、無線通信装置に関するものである。前記装置は、第１の情報ストリーム及び第２の情報ストリームに独立した値を割り当てるための手段と、前記独立した値を結合して合成値を生成するための手段と、を具備することができる。前記装置には、前記合成値の関数である波形を出力するための手段が含まれることができ、前記波形は、高エネルギービーコン信号を含む。
【０００９】
他の側面により、第１の情報ストリームに第１の値を割り当て、前記第１の情報ストリームに割り当てられた前記値から独立している第２の値を第２の情報ストリームに割り当てるための機械によって実行可能な命令を格納している機械によって読み取り可能な媒体である。前記命令は、前記第１の値及び前記第２の値を結合して合成値を生成することと、高エネルギービーコン信号を含む波形を送信すること、とを含むこともできる。前記波形は、前記合成値の関数であることができる。
【００１０】
無線通信システムにおいては、他の側面は、プロセッサを含む装置に関するものである。前記プロセッサは、第１の情報ストリーム及び第２の情報ストリームに独立した値を割り当てるように構成することができる。前記独立した値は、選択的にコーディング及び復号することができる。前記プロセッサは、高エネルギービーコン信号を含む波形での送信に関して前記独立した値を結合するようにさらに構成することができる。前記波形は、前記結合された独立した値の関数であることができる。
【００１１】
側面は、基地局から情報を受信することを容易にする方法に関するものである。前記方法は、波形内に含まれる高レベルビーコン信号を受信することを含むことができる。前記波形は、第１の値及び第２の値の関数であることができる。前記方法は、前記第１の値を第１の情報ストリームとして解釈すること及び前記第２の値を第２の情報ストリームとして解釈することに関するものであることもできる。前記第１の情報ストリームは、第１の部分組のブロードキャスト情報を表すことができ、前記第２の情報ストリームは、第２の部分組みのブロードキャスト情報を表すことができる。
【００１２】
他の側面は、ビーコン信号において受信された情報を選択的に復号する無線通信装置に関するものである。前記装置は、プロセッサと、メモリと、を含むことができる。前記メモリは、高エネルギービーコン信号を含む波形を受信することに関連する命令を保持することができる。前記波形は、第１の値及び第２の値を表す合成値の関数であることができる。前記メモリは、前記第１の値を独立して復号して第１の部分組の情報を入手すること及び前記第２の値を独立して復号して第２の部分組の情報を入手することに関連する命令をさらに保持することができる。前記プロセッサは、前記メモリに結合することができ、前記メモリにおいて保持される前記命令を実行するように構成することができる。
【００１３】
さらに他の側面は、波形を表す２つの独立した情報ストリームを解読するのを可能にする無線通信装置に関するものである。前記装置は、高エネルギービーコン信号を含む波形を受信するための手段と、前記波形を独立した情報ストリーム値に分割するための手段と、を含むことができる。装置には、前記独立した情報ストリーム値からの第１の情報ストリームの第１の値及び第２の情報ストリームの第２の値を解読するための手段を含めることもできる。
【００１４】
さらなる側面は、高エネルギービーコン信号を含む波形を受信するための機械によって実行可能な命令を格納している機械によって読み取り可能な媒体に関するものである。前記波形は、第２の値と結合された第１の値を具備することができる。前記命令は、前記第１の値を前記結合された値から再生成して第１の情報ストリームを導き出すこと及び前記第２の値を前記結合された値から再生成して第２の情報ストリームを導き出すことに関連するものであることができる。
【００１５】
無線通信システムにおいては、他の側面は、プロセッサを含む装置に関するものである。前記プロセッサは、２つの独立した値の結合を含む波形を受信するように構成することができる。プロセッサは、前記結合から第１の独立した値を復号して第１の情報ストリームを入手し、前記結合から第２の独立した値を復号して第２の情報ストリームを入手するようにさらに構成することができる。
【００１６】
上記の目的及び関連する目的を完遂させるため、前記１つ以上の側面は、以下において十分に説明されて請求項において特に強調される特長を具備する。以下の説明及び添付図面は、前記１つ以上の側面の一定の説明例を詳述する。しかしながら、これらの例は、様々な側面の原理を採用することができる様々な方法のうちのほんのわずかを示しており、前記説明される例は、これらのすべての側面及びその同等の側面を含むことが意図されている。
【図面の簡単な説明】
【００１７】
【図１】本明細書において提示される様々な側面による無線通信システムを示した図である。
【図２】幾つかの側面によるビーコン信号を示した図である。
【図３】開示される例のうちの１つ以上とともに利用可能な他のビーコン信号を示した図である。
【図４】開示される例のうちの１つ以上とともに利用可能なさらに他のビーコン信号を示した図である。
【図５】独立した部分組の情報を送信するのを容易にするシステム例を示した図である。
【図６】本明細書において開示される様々な例を利用して送信することができるブロードキャスト信号例を示した図である。
【図７】システム構成要素の観点からのコーディング方式例の表現を示した図である。
【図８】情報ビットシーケンスを決定することができるコーディング“Ｉ”を示した図である。
【図９】様々な情報ビットを結合して信号Ｚｉを生成することを示した図である。
【図１０】値Ｚｉを表すブロードキャスト信号を示した図である。
【図１１】ブロードキャスト信号に含まれる部分組の情報を解釈するのを容易にするシステムを示した図である。
【図１２】ブロードキャスト信号を復号することの表現例を示した図である。
【図１３】第２の部分組のブロードキャスト情報が相対的に短いブロードキャスティングサイクル時間で繰り返しブロードキャストされるときのビーコン信号例を示した図である。
【図１４】開示された側面により一組のブロードキャスト情報ビットを送信する方法例を示した図である。
【図１５】様々な側面によりビーコンシンボルから２つの部分組のブロードキャスト情報を復号する方法例を示した図である。
【図１６】基地局を動作させる方法例を示した図である。
【図１７】通信において受信された波形マッピング表現の解釈を容易にする方法例を示した図である。
【図１８】情報を送信するために一組の時間シンボルにおける一組の周波数トーンを用いる方法例を示した図である。
【図１９】一組の時間シンボルにおける周波数トーンを意味する送信された信号の解釈のための方法例を示した図である。
【図２０】タイミング情報を含むブロードキャストメッセージの一部分を示した図である。
【図２１】タイミング情報を決定するために利用することができる情報ビットを示した図である。
【図２２】タイミング情報を含むビットストリーム例を示した図である。
【図２３】開示される側面のうちの１つ以上を利用するメッセージ例を示した図である。
【図２４】１つ以上のサブシーケンスを含むブロードキャスト情報ビットのシーケンスを送信するためのシステム例を示した図である。
【図２５】複数のサブシーケンスを含むブロードキャスト信号を解釈するためのシステム例を示した図である。
【図２６】ブロードキャスト情報ビットのシーケンスを開示された側面により実装される複数のサブシーケンスにパーティショニングする例を示した図である。
【図２７】開示される側面により実装される同期サブシーケンス例を示した図である。
【図２８】本明細書において開示される様々な側面により実装される非同期サブシーケンス例を示した図である。
【図２９】ブロードキャスト情報ビットのシーケンスを含むブロードキャスト信号を送信する方法例を示した図である。
【図３０】受信されたブロードキャスト信号内のタイミング情報及び関連するメッセージを解釈するための方法例を示した図である。
【図３１】複数のセルを含む様々な側面により実装される通信システム例を示した図である。
【図３２】様々な側面による基地局例を示した図である。
【図３３】本明細書において説明される様々な側面により実装される無線端末例（例えば、モバイルデバイス、エンドノード）を示した図である。
【図３４】無線通信環境においてビーコン信号内の少なくとも２つの部分組の情報の独立したコーディングを可能にするシステムを示した図である。
【図３５】波形を表す２つの独立した情報ストリームを送信するのを容易にするシステムを示した図である。
【図３６】無線通信環境において一組の時間シンボルにおける一組のトーンを用いた情報の送信を容易にするシステムを示した図である。
【図３７】無線通信環境においてビーコン信号において受信された情報の独立した復号を可能にするシステムを示した図である。
【図３８】無線通信環境において波形を表す２つの独立した情報ストリームを解読するのを可能にするシステムを示した図である。
【図３９】無線通信環境における周波数部分及び時間部分中の情報の送信を可能にするシステムを示した図である。
【図４０】ブロードキャスト情報ビットのサブシーケンスを含むブロードキャスト信号の送信を可能にするシステムを示した図である。
【図４１】非同期及び／又は同期メッセージを含むブロードキャスト信号の解釈を可能にするシステムを示した図である。
【発明を実施するための形態】
【００１８】
次に、図面を参照して様々な例が説明される。以下では、説明の目的上、１つ以上の側面について徹底的に理解できるようにするために数多くの具体的な詳細が示される。しかしながら、該側面は、これらの具体的な詳細なしで実践できることが明確であろう。その他の事例においては、１つ以上の例に関する説明を容易にするためによく知られた構造及びデバイスがブロック図形で示される。
【００１９】
本出願において用いられる「構成要素」、「モジュール」、「システム」等の用語は、コンピュータに関連するエンティティ、ハードウェア、ファームウェア、ハードウェアとソフトウェアの組合せ、ソフトウェア、又は実行中のソフトウェアを指すことが意図される。例えば、構成要素は、限定されることなしに、プロセッサ上で実行中のプロセス、プロセッサ、オブジェクト、エクセキュータブル、実行スレッド、プログラム、及び／又はコンピュータであることができる。例示上、計算デバイスで実行中のアプリケーション及び計算デバイス自体の両方が構成要素であることができる。プロセス及び／又は実行スレッド内には１つ以上の構成要素が常駐することができ、構成要素は、１つのコンピュータ上に局在化する及び／又は２つ以上のコンピュータ間で分散させることができる。さらに、これらの構成要素は、様々なデータ構造が格納されている様々なコンピュータによって読み取り可能な媒体から実行可能である。これらの構成要素は、ローカル及び／又は遠隔プロセスによって、例えば１つ以上のデータパケット（例えば、ローカルシステム又は分散型システム内の他の構成要素と及び／又はインターネット等のネットワークを通じて信号を用いてその他のシステムと対話中の構成要素からのデータ）を有する信号に従って通信することができる。
【００２０】
さらに、本明細書においては、様々な例が無線端末と関連させて説明される。無線端末は、システム、加入者ユニット、加入者局、移動局、モバイル、モバイルデバイス、遠隔局、遠隔端末、アクセス端末、ユーザー端末、端末、無線通信デバイス、ユーザーエージェント、ユーザーデバイス、又はユーザー装置（ＵＥ）と呼ぶことも可能である。無線端末は、携帯電話、コードレスフォン、スマートフォン、セッション開始プロトコル（ＳＩＰ）フォン、ワイヤレスローカルループ（ＷＬＬ）局、パーソナルデジタルアシスタント（ＰＤＡ）、ラップトップ、ハンドヘルド通信ドデバイス、ハンドヘルド計算デバイス、計算デバイス、衛星無線、全地球測位システム、無線モデムに接続された処理デバイス及び／又は通信用のその他の適切なデバイスであることができる。さらに、本明細書においては基地局と関連させて様々な例が説明される。基地局は、無線端末と通信するために利用することができ、アクセスポイント、交信局、ノードＢ、又はその他の何らかの用語で呼ぶこともできる。
【００２１】
さらに、本明細書において説明される様々な側面又は特長は、標準的なプログラミング及び／又はエンジニアリング技術を用いて製造方法、製造装置、又は製造品として実装することができる。本明細書において用いられる「製造品」という表現は、コンピュータによって読み取り可能なデバイス、キャリヤ、又は媒体からアクセス可能なコンピュータプログラムを包含することが意図されている。例えば、コンピュータによって読み取り可能な媒体は、磁気記憶装置（例えば、ハードディスク、フロッピー（登録商標）ディスク、磁気ストリップ）と、光学ディスク（例えば、コンパクトディスク（ＣＤ）、デジタルバーサタイルディスク（ＤＶＤ））と、スマートカードと、フラッシュメモリデバイス（例えば、ＥＰＲＯＭ、カード、スティック、キードライブ）と、を含むことができるが、これらに限定されない。さらに、本明細書において説明される様々な記憶媒体は、情報を格納するための１つ以上のデバイス及び／又はその他の機械によって読み取り可能な媒体を表すことができる。“機械によって読み取り可能な媒体”という表現は、限定されることなしに、無線チャネルと、命令及び／又はデータを格納、内蔵、及び／又は搬送することができるその他の様々な媒体と、を含むことができる。
【００２２】
次に図１に関して、無線通信システム１００が本明細書において提示される様々な側面に従って例示される。システム１００は、１つ以上のセクター１０６、１０８において互いに及び／又は１つ以上のモバイルデバイス１１０、１１２との間で無線通信信号の受信、送信、反復等を行う及びサービスを提供する１つ以上の基地局１０２、１０４を具備することができる。基地局１０２、１０４は、インフラネットワーク（例えばインターネット）に接続することができ、従ってインターネットへの接続性を提供することができる。幾つかの側面により、基地局１０２、１０４は、ピア・ツー・ピア通信サービス（例えば、モバイルデバイス１１０と１１２との間での直接的な通信）を容易にすることができる。
【００２３】
各基地局１０２、１０４は、送信機チェーンと、受信機チェーンと、を具備することができ、当業者によって明確に理解されるように、これらのチェーンの各々は、信号の送信及び受信と関連づけられた複数の構成要素（例えば、プロセッサ、変調器、マルチプレクサ、復調器、デマルチプレクサ、アンテナ、等）を具備することができる。基地局１０２、１０４は、順方向リンク（ダウンリンク）を通じてモバイルデバイス１１０、１１２に情報を送信すること及び逆方向リンク（アップリンク）を通じてモバイルデバイス１１０、１１２から情報を受信することができる。
【００２４】
モバイルデバイス１１０、１１２が基地局１０２、１０４にアクセスして提供されるサービスを用いるか又はピア・ツー・ピア通信に関してスペクトルを利用するために、基地局１０２、１０４は、一定のシステム情報をブロードキャストする。幾つかの側面により、ブロードキャスト情報の組は、１つ以上の部分組に分割することができる。基地局１０２、１０４は、予め決められたブロードキャスティングサイクルにより周期的に幾つかの部分組をブロードキャストすることができ、異なる部分組を異なるブロードキャスティングサイクルと関連づけることができる。幾つかの側面により、基地局１０２、１０４は、一般的なメッセージシグナリング手法によって幾つかの部分組をブロードキャストすることができ、従って、ブロードキャスティングスケジュールは、予め決定されない又は固定されない（例えば、選択的に変更することができる）。
【００２５】
例えば、システム１００にアクセスする能力をモバイルデバイス１１０、１１２に提供するために第１の部分組のブロードキャスト情報をシステム１００の基本構成に関連させることができる。第１の部分組のブロードキャスト情報には、システムタイミング情報、スペクトル割り当て情報、送信電力情報、サービス情報、通信技術情報、システムバージョン（互換性）情報、スペクトル帯域情報、サービスオペレータ情報、システムローディング情報、等のうちの１つ以上（又はその組合せ）を含めることができる。このブロードキャスト情報リストは、経時で変化することができない。第１の部分組に含めることができる情報に関連するさらなる情報が以下において提供される。
【００２６】
第２の部分組のブロードキャスト情報をハンドオフに関連させることができる。例えば、モバイルデバイス１１０は、第１の地理的地域１０６から他の地理的地域１０８に移動して２つの基地局１０２、１０４間におけるハンドオフを生じさせることが可能である。幾つかの側面により、２つの基地局１０２、１０４の地理的地域は、（１１４において示されるように）互いに重なり合うことができ、従って、モバイルデバイス１１０、１１２は、ハンドオフ中には存在するとしてもほとんどサービスの中断に合うことはない。
【００２７】
基地局１０２、１０４は、異なる組のシステム１００パラメータを用いることができる。例えば、ＯＦＤＭシステムにおいては、スペクトル帯域幅は、複数のトーンに分割される。各基地局において、トーンは、特定のホッピングパターンに従ってホップする。ホッピングパターンは、システムパラメータによって制御することができ、異なる基地局１０２、１０４は、基地局１０２、１０４間における干渉を多様化（ｄｉｖｅｒｓｉｆｙ）するためにシステムパラメータの異なる値を選択することができる。
【００２８】
システムパラメータは、モバイルデバイス１１０、１１２が１つの基地局１０２から他の基地局１０４に移行するのを可能にする。モバイルデバイス１１０、１１２がハンドオフ中におけるサービス中断を軽減するためにシステムパラメータを直ちに入手するのを可能にするのが有益である。従って、ブロードキャスト情報の第２の部分組は、ブロードキャスト情報の第１の部分組よりも小さいことができる。例えば、第２の部分組は、少数の固定された情報ビットを含むことができ、相対的に短いブロードキャスティングサイクル時間で繰り返しブロードキャストすることができる。このことは、ハンドオフが発生時に既にモバイルデバイス１１０、１１２が基地局１０２、１０４に接続されており、従って、第１の部分組のブロードキャスト情報の少なくとも一部分を入手していると想定していることに注目すべきである。
【００２９】
図２に関して、本明細書において説明される様々な側面による直交周波数分割多重化（ＯＦＤＭ）システム例におけるビーコン信号２００が示される。第１及び第２の（又はそれよりも多い）部分組のブロードキャスト情報を、ビーコン信号と呼ばれる特別な信号又はシグナリング方式を用いてトランスポートすることができる。
【００３０】
横軸２０２は、時間を表し、縦軸２０４は、周波数を表す。縦のカラムは、２０６において幾つかにラベルが付され、所定のシンボル期間におけるトーンを表す。各々の小さい四角形、例えば四角形２０８、は、単一の送信シンボル期間における単一のトーンであるトーン−シンボルを表す。ＯＦＤＭシンボル内の自由度がトーン−シンボル２０８である。
【００３１】
ビーコン信号２００は、経時で順次送信されるビーコン信号バーストシーケンスを含む。ビーコン信号バーストは、１つ以上の（例えば少数の）ビーコンシンボルを含む。各ビーコンシンボルは、１つの自由度において、相対的に大きい時間間隔における平均の自由度当たり送信電力よりもはるかに大きい送信電力を有した状態で送信される信号であることができる。
【００３２】
４つの小さい黒の四角形が示され、各々の四角形（２１０）は、ビーコン信号シンボルを表す。各ビーコン信号シンボルの送信電力は、時間間隔全体２１２における平均のトーンシンボル当たり送信電力よりもはるかに大きい（例えば、少なくとも約１０又は１５ｄＢ大きい）。各ＯＦＤＭシンボル期間２１４、２１６、２１８、２２０は、ビーコン信号バーストである。この例示においては、各ビーコン信号バーストは、１つの送信シンボル期間における１つのビーコンシンボルを含む。
【００３３】
図３は、開示される例のうちの１つ以上とともに利用可能な他のビーコン信号３００を示す。ビーコン信号３００は、上図のビーコン信号２００と類似する。これらの２つのビーコン信号２００、３００の間の相違点は、ビーコン信号３００が２つの連続するシンボル期間において同じ単一のトーンの２つのビーコンシンボルを含むことである。特に、ビーコン信号バーストは、２つの連続するＯＦＤＭシンボル期間３１２、３１４、３１６、３１８を含む。
【００３４】
図４は、開示される例のうちの１つ以上とともに利用可能なさらに他のビーコン信号４００を示す。このビーコン信号４００は、上のビーコン信号２００、３００と類似する。相違点は、このビーコン信号４００においては、各ビーコン信号バーストは、連続的であること又は連続的でないことができる２つのＯＦＤＭシンボル期間を含むことである。しかしながら、２つのＯＦＤＭシンボル期間において１つのビーコン信号のみが送信される。所定のビーコン信号バーストにおいては、ビーコンシンボルは、２つの期間のうちのいずれの１つの期間においても発生することができる。例えば、２つのビーコンバースト４１２及び４１４が示される。ビーコンバースト４１２のビーコンシンボルは、第１のＯＦＤＭシンボル期間において発生し、他方、ビーコンバースト４１４のビーコンシンボルは、第２のＯＦＤＭシンボル期間において発生する。
【００３５】
図２、３、及び４に関して、ビーコンバーストの時間位置が予め決められる。例えば、図２において、ビーコンバーストは、ＯＦＤＭシンボル２１４、２１６、２１８、２２０内に所在することが予め決められる。図３において、ビーコンバーストは、ＯＦＤＭシンボル対３１２、３１４、３１６、３１８内に所在することが予め決められる。図４において、ビーコンバーストは、ＯＦＤＭシンボル対４１２及び４１４内に所在することが予め決められる。
【００３６】
ビーコンシンボルを送信するために予め決められたＯＦＤＭシンボルにおける自由度を選択することができる。例えば、図２において、ビーコンシンボルをシグナリングするためにＯＦＤＭシンボル２１４内のトーンシンボルのうちのいずれか１つを選択することができ、図４においては、ＯＦＤＭシンボル対４１２内のトーンシンボルのうちのいずれか１つを選択することができる。従って、図４におけるビーコンバーストの総自由度数は、図２における総自由度数の２倍である。
【００３７】
図５は、独立した部分組の情報を送信することを容易にするシステム例５００を示す。システム５００は、無線通信ネットワークにおいてモバイルデバイスが互いに及び／又は基地局と通信するのを可能にするために利用することができる。システム５００は、第１の部分組の情報に対して行われた変更が第２の（又はそれよりも多い）部分組の情報に対して影響を与えないような形での情報の通信を容易にすることができる。従って、互いに干渉しない（例えば、独立してコーディング／復号される）２つの異なるコーディング方式が存在することができる。システムには、１つ以上の受信先５０４に情報を伝送する１つ以上の送信元５０２が含まれる。送信元５０２及び／又は受信先５０４は、基地局、モバイルデバイス、又は情報を通信するその他のシステム構成要素であることができる。
【００３８】
送信元５０２は、ブロードキャスト信号を解析して前記ブロードキャスト信号を予め決められた方法でサブグループに分割し、第１の情報ストリームを生成するように構成することができる第１の情報ストリーム生成器５０６を含むことができる。さらに加えて又は代替として、第１の情報ストリーム生成器５０６は、１つ以上のサブグループのうちのいずれを特定のブロードキャスト信号に関して利用すべきかを決定するように構成することができる。例えば、第１の情報ストリームは、いずれのサブグループを用いるかを決定するために利用することができる。ブロードキャスト信号は、１つのＯＦＤＭ信号におけること又は複数のＯＦＤＭ信号におけることができる適切に定義された時間シーケンス又は間隔である。例えば、ブロードキャスト信号は、１つ以上のシンボル期間を具備し、１つのブロックの自由度と考えることができる。
【００３９】
第１の情報ストリーム生成器５０６は、信号において搬送される情報に基づいていずれのサブグループ又はブロックを用いるかを決定することができ、前記情報は、例えば、ピア・ツー・ピア通信及び／又はセルラー通信に関連する情報を含むことができる。この情報は、符号化（例えば符号化されたビット）を通じて処理することができる。この符号化されたビットは、“０”又は“１”のいずれかの値を有することができ、ビットの送信場所は、部分的には、ビット値（“０”又は“１”）に基づくことができる。
【００４０】
ブロードキャスト信号６００の表現が図６に示される。ブロードキャスト信号６００は、上記のビーコンシンボル２００、３００、４００と類似するビーコンシンボルの小部分である。ブロードキャスト信号６００は、例示を目的とするものであり、その他のブロードキャストシンボルも開示される側面とともに利用できることが理解されるべきである。時間は、横軸６０２に表され、周波数は、縦軸６０４に表される。ビーコンシンボル例６００は、合計８つのトーン−シンボル又は自由度に関してそれぞれ４つのトーン−シンボルを有する２つのシンボル期間６０６、６０８を具備する。
【００４１】
ブロードキャスト信号６００の２つのシンボル期間６０６、６０８における全部の自由度が（例えば、第１の情報ストリーム生成器５０６によって）第１の帯域幅部分組６１０及び第２の帯域幅部分組６１２に分割される。例えば、トーンシンボル０、１、２及び３は、第１の帯域幅部分組又は第１のブロック６１０内に存在することができ、トーン−シンボル４、５、６及び７は、第２の帯域幅部分組又は第２のブロック６１２内に存在することができる。その他の構成及びトーン−シンボルブロック数を利用できること及び単純な方式が例示されていることが理解されるべきである。トーンの選択されたブロック６１０、６１２は、１つのビーコン信号バーストごとに変化しないトーン−シンボルの固定されたパーティションと類似することができる。各ブロックに関して同じパーティションを利用することができ、又は、幾つかの側面により、様々なブロック間である程度の時間の変化が存在することができる。
【００４２】
所定のビーコン信号バーストにおいて、用いられるトーン−シンボルのブロック又は部分組が情報を搬送し、情報ビット又はブロックコーディング方式｛ｂ１｝と呼ぶことができる。第１の情報ストリーム生成器５０６は、特定のビーコン信号バースト中にいずれのブロックコーディング方式｛ｂ１｝を用いるかを決定するように構成することができる。
【００４３】
例における各帯域幅部分組６１０、６１２は、トーン−シンボルの隣接ブロックであることが注目されるべきである。さらに、２つの帯域幅部分組間には、未使用状態の幾つかのトーンシンボルが存在することができる。この理由は、モバイルデバイスが、交信局とモバイルデバイスとの間において発生する可能性があるタイミング及び周波数同期化の欠如に起因して１つの帯域幅部分組内のトーンシンボルを他の帯域幅部分組内の他のトーンシンボルと間違えるのを軽減するためである。（示されていない）他の例においては、帯域幅は、個々の帯域幅部分組の自由度が互いにインターリービングするようにパーティショニングされ、その場合は、帯域幅部分組は、隣接するトーンシンボルブロックになることができない。
【００４４】
第１の情報スチーム（ｓｔｅａｍ）生成器５０６は、その他のシナリオにおける帯域幅部分組パーティションを決定できることが理解されるべきである。例えば、図４に示されるようにビーコンバーストが２つのＯＦＤＭシンボルを含む場合は、２つのＯＦＤＭシンボル内における全自由度を複数の帯域幅部分組にパーティショニングすることができる。幾つかの帯域幅部分組は、第１のＯＦＤＭシンボルにおける自由度を含むことができ、他の帯域幅部分組は、第２のＯＦＤＭシンボルにおける自由度を含むことができる。
【００４５】
システム５００は、特定のブロードキャスト信号においていずれの特定のトーン−シンボル（自由度）を用いて第２の情報ストリームを生成するかを決定するように構成することができる第２の情報ストリーム生成器５０８を含むこともできる。幾つかの側面により、第２の情報ストリームは、選択されたサブグループにおいて用いるべき波形を決定するために利用することができる。選択された自由度は、各シンボル期間に関して又は各ブロードキャスト信号に関して異なることができる。一側面により、第１及び第２の部分組のブロードキャスト情報６１０、６１２は、ビーコンバーストシーケンスにおいてビーコンシンボルに関する自由度を選択することによってトランスポートされる。特に、ビーコンバーストの全自由度を予め決められた数の帯域幅部分組にパーティショニングすることができ、これらの帯域幅部分組は、離れていること又は隣接することができる。
【００４６】
所定のビーコンバーストにおいて、ブロードキャストシンボルを送信するために用いられる自由度は、情報を搬送し、情報ビット又はコーディング方式｛ｃｉ｝と呼ぶことができる。第２の情報ストリーム生成器５０８によって選択される特定の自由度は、独立して又はいずれのサブグループが第１の情報ストリーム生成器５０６によって選択されたかにかかわらず決定される。例えば、第２の情報ストリーム生成器５０８は、サブグループ内の特定のトーン−シンボル（又はコーディング方式｛ｃ１｝）を選択することができ、第１の情報ストリーム生成器５０６は、特定のサブグループ（又はブロックコーディング方式｛ｂ１｝）の選択を通じて実際のトーンを選択することができる。第１の情報ストリーム生成器５０６によるブロックコーディング方式｛ｂ１｝の選択及び第２の情報ストリーム生成器５０８によって選択されたコーディング方式｛ｃ１｝は、これらの選択が互いに独立しているためあらゆる順序で生じることができる。
【００４７】
例えば、第１の情報ストリーム生成器５０６は、第１の情報ストリーム｛ｂ１｝に関するトーン−シンボル０、１、２及び３を具備する第１のサブグループ６１０を選択することができ、第２の情報ストリーム生成器５０８は、第２の情報ストリーム｛ｃ１｝に関するトーン２を選択することができる。しかしながら、第１の情報ストリーム生成器５０６がトーン−シンボル４、５、６及び７を含む第２のサブグループ６１２を選択し、第２の情報ストリーム生成器５０８が同じトーン−シンボル所在場所（ｌｏｃａｔｉｏｎ）を選択した場合は、この場合のトーン−シンボルはトーン−シンボル６になる。この理由は、トーン−シンボル６がトーン−シンボル２と同じ所在場所内（ただし、異なるサブグループ６１０、６１２内）に存在し、第２の情報ストリーム生成器５０８は、いずれのサブグループ６１０、６１２が第１の情報ストリーム生成器５０６によって選択されたかと関係ないためである。
【００４８】
第２の情報ストリーム生成器５０８は、コーディング方式を選択するための様々なアルゴリズム、方法及び／又は技法を利用して方式｛ｃ１｝のコーディングに部分的に基づいてサブグループ内におけるトーン−シンボルの所在場所を選択することができる。用いられる実際のトーン−シンボルは、第１の情報ストリーム生成器５０６によって選択されたブロック、｛ｃ１｝の特定のシーケンスおよびホッピングシーケンスの関数である。従って、いずれのサブグループ６１０、６１２が第１の情報ストリーム生成器５０６によって選択されるかに依存して、この例におけるトーン−シンボルは、０又は４、１又は５、２又は６、３又は７であることができる。｛ｂ１｝及び｛ｃ１｝のコーディング方式は、独立しているため、いずれかのコーディング方式が変更された場合でも、他方のコーディング方式には影響がない。
【００４９】
第２の情報ストリーム生成器５０８の観点からのコーディング方式例のビジュアル表現が図７に示される。コーディング方式｛ｃ１｝は、タイミング方式を提供し、ホッピング、繰り返し等のための方法を提供することができる。コーディング方式｛ｃ１｝は、非常に短い間隔であることができる時間（又はその他の間隔）で繰り返すことができる。
【００５０】
時間は、横軸７０２に表され、周波数は縦軸に表される。７０２における図の上部は、３つの異なるビーコンシンボル７０８、７１０及び７１２を示す。７１４及び７１６によってそれぞれ表されるように、各ビーコンシンボル７０８、７１０、７１２の上半分が第１のサブグループであり、下半分が第２のサブグループであり、上図において示されるビーコンシンボル６００に類似する。示されるように、第１の情報ストリーム生成器５０６は、第１の情報ストリーム｛ｂ１｝に関しては、ビーコン信号７０８に関する第２のサブグループ、ビーコン信号７１０に関する第１のサブグループ及びビーコン信号７１２に関する第２のサブグループを選択することができる。第２の情報ストリーム生成器５０８は、黒の四角形によって示されるように、第２の情報ストリーム｛ｃ１｝に関する所在場所を選択することができる。第１の情報ストリーム生成器５０６によって選択されたサブグループにかかわらず、選択された所在場所において高エネルギー信号が送信される。例においては、期間はわずか３であり、第２の情報ストリーム｛ｃ１｝を繰り返すことができる。第１の情報ストリーム｛ｂ１｝は、完全に異なる周期性を有することができる。換言すると、第２の情報ストリーム｛ｃ１｝が所在する実際のブロックは、第１の情報ストリーム｛ｂ１｝の関数であるが、第２の情報ストリーム｛ｃ１｝の観点からは、（第２の情報ストリーム｛ｃ１｝は高エネルギー信号が送信されるブロックには関係ないため）コーディングは変わらない。周期性は、情報ビットを復号するために用いることができるタイミング情報を提供する。幾つかのシーケンスを観測後に、開始点及び終了点を決定することができ、そのブロック内でのタイミングに関して一定の保証を行うことができる。タイミング情報に関連するさらなる情報が以下において提供される。
【００５１】
第２の情報ストリーム生成器５０８の観点からのブロードキャスト信号が図の下部分７１８において示される。この部分７１８は、２つの情報方式｛ｂ１｝、｛ｃ１｝の組合せを示すが、このことは、これらの２つの情報方式が結合されていることを示すものではなく、これらのストリームは依然として独立した方式であり、この組合せは、説明のみを目的として示されている。
【００５２】
従って、第２の情報ストリーム生成器５０８は、第１の情報ストリーム生成器５０６によって選択された特定のサブグループに関係がなく、さらに認識している必要がない。この理由は、第２の情報ストリーム生成器５０８は、トーン−シンボルが所在することができるグループではなくトーン−シンボル所在場所のみに関係するためである。
【００５３】
幾つかの側面により、情報方式｛ｂ１｝及び｛ｃ１｝は、異なる形で考えることができる。コーディングは、シグナリング位置への情報ビットのマッピングである。これらの情報方式｛ｂ１｝及び｛ｃ１｝は、情報ビットであると考えることができる。経時で、送信された多数の｛ｃ１｝情報ビットが存在することが可能である。さらに、ビットのシーケンスである｛Ｙｉ｝のシーケンスを｛ｃ１｝から決定することができるコーディング“Ｉ”が存在することもでき、ここで｛Ｙｉ｝は１ビットである。この表現が図８の８０２において示される。
【００５４】
上例を続けると、８０４において、各々が４つの自由度を有する３つのシンボル期間８０６、８０８、８１０を有するブロードキャスト信号が示される。自由度数（例えば、０、１、３、．．．、１１）が提供された場合、前記数は、どこでシグナリングが発生することになるかを示す。従って、｛Ｙｉ｝は、周期性に基づいて繰り返すことができるＹ０、Ｙ１、Ｙ２、Ｙ３、．．．Ｙ１１のシーケンスであることができる。従って、この例においては、特定の｛Ｙｉ｝は、０乃至１１であることができる。
【００５５】
別個の情報ビットシーケンス｛ｂ１｝は、信号｛Ｘｉ｝を生成する異なる型のコーディング（例えば、コーディング“ＩＩ”）を有する。従って、コーディングＩＩ＝｛Ｘｉ｝である。｛Ｘｉ｝は、それ自体が、｛Ｙｉ｝とは関係がないことができるある周期性を有する。各｛Ｘｉ｝は、ゼロ乃至第１の情報ストリーム生成器５０８によって選択されたサブグループ数であることができる。この例においては、｛Ｘｉ｝は、“０”又は“１”であることができ、ここで、“０”は、第１のサブグループを表し、“１”は、第２のサブグループを表す。
【００５６】
情報ビット｛Ｘｉ｝及び｛Ｙｉ｝は、図９において示されるように、以下の式を利用して値Ｚｉを生成するために情報ストリーム結合器５１０によって結合することができ、ここで、Ｑは、第１の情報ストリームの最大値を表す。
【００５７】
Ｚｉ＝｛Ｘｉ｝＊Ｑ＋｛Ｙｉ｝          
式１
値Ｚｉは、図１０において示される例のように、より大きいスペースを占めるブロードキャスト信号１０００であると考えることができる。この例においては、自由度は、０、１、２、３、．．．、２３のラベルが付される。ブロードキャスト信号１０００は、（例えば、第１の情報ストリーム生成器５０６によって）２つ以上のブロック又はサブグループ１００２及び１００４に分割することができ、各々は、（この例に関するＱの値である）１２トーンを含む。 
示される例においては、｛Ｘｉ｝は、サブグループ１００２に関しては“０”に等しく、｛Ｘｉ｝は、サブグループ１００４に関しては１に等しい。式１を用いて、｛Ｘｉ｝が“０”に等しい場合は、Ｚｉは、｛Ｙｉ｝に等しく、上方スペース又は第１のサブグループ１００２である。しかしながら、｛Ｘｉ｝が“１”に等しい場合は、開始点は、下方スペース又は第２のサブグループ１１０４における自由度“１２”である。従って、｛Ｘｉ｝は、いずれのブロック又はサブグループが選択されたかを示し、｛Ｙｉ｝は、ブロック内における所在場所を示し、このことは、別個のコーディング方式を組み合わせて情報を送信することができるにもかかわらず独立したコーディングを考慮する。パーティショニングは、示されて説明されるパーティショニングと異なる形で実行できることが注目されるべきである。
【００５８】
再度図５に関して、メモリ５１２は、ビーコン信号内の情報を符号化するために動作可能な形で送信元５０２に結合することができる。メモリ５１２は、ブロードキャスト情報ビットの第１の部分組及びブロードキャスト情報ビット第２の部分組を例えば予め決められた方法で生成することに関連する情報を格納すること及び／又は命令を保持することができる。メモリ５１２は、一組の帯域幅自由度を２つ以上の部分組にパーティショニングすることに関連する情報をさらに格納することができる。メモリ５１２によって格納されたさらなる情報は、いずれの部分組を用いるかを決定することに関連することができ、第１の部分組のブロードキャスト情報ビットの関数であることができる。さらに、メモリ５１２は、部分組内の１つ以上の帯域幅自由度を選択することに関連する情報を格納することができ、第２の部分組のブロードキャスト情報ビットの関数であることができる。
【００５９】
メモリ５１２は、選択された１つ以上の帯域幅を伝送又は送信するための命令をさらに保持することができる。第１の及び少なくとも第２の部分組の情報は、より低いエネルギーで送信することができるその他の情報と比較して高エネルギーで送信することができる。第１及び第２の部分組は、ブロードキャスト情報ビットの組と互いに素な部分組であることができる。サブジェクト（ｓｕｂｊｅｃｔ）は、互いに素であることができる。幾つかの側面により、送信された情報は、ピア・ツー・ピア通信に関連させることができる。メモリ５１２によって格納可能なその他の情報は、周期性であることができ、又は第１のストリーム｛ｂ１｝のシーケンス｛ｂ１｝及び／又は第２の情報ビットストリーム｛ｃ１｝を繰り返す頻度であることができる。
【００６０】
幾つかの側面により、メモリ５１２は、その他のビーコン信号を送信するために用いられる平均送信電力よりもＸｄＢ高い各々の選択された帯域幅自由度における電力でビーコン信号を送信するための命令を保持することができる。Ｘは、少なくとも１０ｄＢであることができる。メモリ５１２は、２つ以上の部分組の帯域幅自由度を予め決められた方法で及びブロードキャスト情報ビットの組から独立してパーティショニングするための命令をさらに保持することができる。
【００６１】
代替として又は追加で、メモリ５１２は、第１の情報ストリームに関する第１の値を決定すること及び第２の情報ストリームに関する第２の値を決定することに関連する命令を保持することができる。前記決定は、独立して行うことができる。第２の値は、第１の値のタイミングシーケンスと異なる間隔で繰り返すことができるタイミングシーケンスを提供することができる。さらなる命令は、第１及び第２の値を結合して合成値を生成すること及び波形を前記合成値の関数として送信することに関連することができる。波形は、高エネルギービーコン信号を含むことができ、１つの自由度当たりのビーコン信号の送信電力は、その他の送信された信号の送信電力よりも約１０ｄＢ（又はそれ以上）高い。
【００６２】
代替として又は追加で、メモリ５１２は、独立して行うことができる第１のコーディング方式｛ｂ１｝を決定すること、及び第２のコーディング方式｛ｃ１｝を決定することに関連する情報を格納すること及び／又は命令を保持することができる。第２のコーディング方式｛ｃ１｝は、第１のコーディング方式｛ｂ１｝のタイミングシーケンスと異なる間隔で繰り返すことができるタイミングシーケンスを提供することができる。メモリ５１２は、単一のビーコン信号バーストにおいてモバイルデバイスに送信するために第１のコーディング方式｛ｂｉ｝及び第２のコーディング方式（ｃｉ）を結合することに関連する命令をさらに保持することができる。単一のビーコン信号バーストは、その他の信号バーストと比較して高エネルギーで送信することができる。メモリ５１２は、第１のコーディング方式｛ｂｉ｝から信号｛Ｘｉ｝を生成し、第２のコーディング方式｛ｃｉ｝から｛Ｙｉ｝ビットのシーケンスを生成するための命令を保持することができる。幾つかの側面により、メモリ５１２は、第１のコーディング方式｛ｂｉ｝及び第２のコーディング方式｛ｃｉ｝の結合から値Ｚｉを生成するための命令を保持することができ、Ｚｉは、スペースを占めるブロードキャスト信号を表す。
【００６３】
幾つかの側面により、メモリ５１２は、情報を送信する一部分の時間シンボルにおける一部分の周波数トーンを選択的に用いることに関連する情報を格納する及び／又は命令を保持することができる。例えば、メモリ５１２は、周波数トーン及び時間シンボルを表すブロックを２つ以上のサブグループに分離することに関連する命令を保持することもできる。２つ以上の部分組は、第１の情報ストリームを表すことができる。メモリ５１２は、ミクロブロック又は第２の情報ストリームを表す１つの時間シンボルにおける少なくとも１つの周波数トーンにサブグループを分割することに関連する命令を保持することもできる。第１の情報ストリームの変更は、第２の情報ストリームを変更せず、逆も同様である。さらに、第１の情報ストリーム及び第２の情報ストリームに基づくマッピングは、周波数及び時間に関して互いに排他的である。さらに、メモリ５１２は、２つ以上のサブグループのうちの１つを第１の情報ストリームの関数として選択すること及び信号を送信するミクロブロックを第２の情報ストリームの関数として選択することに関連する命令を保持することができる。メモリ５１２は、両方の情報ストリームを含む高エネルギー信号を送信する前に第１の情報ストリーム及び第２の情報ストリームを結合するための命令をさらに保持することができる。
【００６４】
プロセッサ５１４は、ブロードキャスト情報を更新すること及び検証することに関連する情報の解析を容易にするために動作可能な形で送信元５０２（及び／又はメモリ５１２）に結合することができ及び／又はメモリ５１２内に保持される命令を実行するように構成することができる。プロセッサ５１４は、送信元５０２から通信される情報を解析すること及び／又は第１の情報方式生成器５０６、第２の情報ストリーム生成器５０８及び／又は情報方式結合器５１０によって利用できる情報を生成することを専用とするプロセッサであることができる。さらに加えて又は代替として、プロセッサ５１４は、システム５００の１つ以上の構成要素を制御するプロセッサ、及び／又は情報を解析し、情報を生成し及び／又はシステム５００の１つ以上の構成要素を制御するプロセッサであることができる。
【００６５】
次に図１１に関して、ブロードキャスト信号に含まれる部分組の情報を解釈することを容易にするシステム１１００が示される。システム１１００は、情報ストリームを結合されたフォーマットで受信し、前記結合を意図される受信先によって受信されるのと実質的に同時に解読するように構成することができる。システムには、情報を送信する送信元１１０２と、所定の受信先であることができる受信先１１０４と、を含むことができる。システム１１００は、より多くの送信元１１０２と受信先１１０４とを含むことができるが、説明を単純化することを目的として各々１つのみが例示されることが理解されるべきである。
【００６６】
送信元１１０２は、互いに独立している少なくとも２つのストリームの情報（例えば、結合Ｚｉ）を含む情報を送信するように構成することができる。例えば、第１のストリームの情報は、システム１１００の基本構成と関連することができ、第２の組の情報は、ハンドオフに関連することができる。基本構成情報に関連するさらなる情報が以下において提供される。
【００６７】
受信先１１０４は、１つ以上の情報ストリーム又は数ビットの情報（例えば、Ｚｉ）を含む情報を受信するように構成することができる情報ストリーム入手器１１０６を含むことができる。例えば、情報ストリームは、｛Ｘｉ｝として表すことができる第１のストリームの情報、例えば｛ｂ１｝、及び｛Ｙｉ｝として表すことができる第２のストリームの情報、例えば｛ｃ１｝、を含むことができる。ブロードキャスト情報が入手されるのと実質的に同時に、第１の情報ストリーム解析器１１０８及び第２の情報ストリーム解釈器１１１０は、ブロードキャスト情報を評価して副構成要素（例えば、第１の情報ストリーム、第２の情報ストリーム、｛Ｘｉ｝、｛Ｙｉ｝等）に分割することができる。ブロードキャスト信号を復号することの表現例が図１２において提供される。
【００６８】
さらに詳細に説明すると、第１の情報ストリーム解析器１１０８は、｛Ｘｉ｝として表すことができる｛ｂ１｝に関連するストリームを導き出すように構成することができる。情報ストリームから｛Ｘｉ｝を抽出するために、独立したコーディングは、以下の式を用いてストリームを解析することを含むことができ、ここで、Ｌは、自由度数である。
【数１】
0005744823.tif 000002
【００６９】
第２の情報ストリーム解釈器１１１０は、｛Ｙｉ｝として表される情報ビット｛ｃｉ｝をストリーム情報から抽出するように構成することができる。該抽出は、以下の式を利用することができる。
【数２】
0005744823.tif 000003
【００７０】
従って、受信先１１０４は、Ｚｉを受け入れ、Ｚｉを副構成要素｛Ｘｉ｝及び｛Ｙｉ｝に分割するように構成することができる。さらに、受信先１１０４は、｛Ｘｉ｝を解析して｛ｂｉ｝を復号し、｛Ｙｉ｝を解析して｛ｃｉ｝を復号するように構成することができる。従って、１方の部分（例えば、｛ｂｉ｝）のみに関する符号化が変更されても、第２の部分（例えば、｛ｃｉ｝）に関する符号化には影響を及ぼさない。同様に、１方の部分（例えば、｛ｂｉ｝）に関する復号が変更されても、他方の部分（例えば、｛ｃｉ｝）には影響を及ぼさない。  
ブロードキャスト情報の部分組に含まれる情報は、システム１１００にアクセスする能力を受信先１１０４に提供するためにシステム１１００の基本構成に関連させることができる。前記部分組には、システムタイミング情報、スペクトル割り当て情報、送信電力情報、サービス情報、通信技術情報、システムバージョン（互換性）情報、スペクトル帯域情報、サービスオペレータ情報、システムローディング情報、等のうちの１つ以上（又はその組合せ）を含めることができる。
【００７１】
システムタイミング情報は、(モバイルデバイスであることができる）受信先１１０４に現在の時間を通信する。この時間情報は、基本となる無線通信システムに特有の時間単位を用いて測定することができる。例えば、時間単位は、システム１１００の送信シンボル期間の関数であることができる。時間情報は、共通して用いられる時間単位（例えば、秒、ミリ秒、等）を用いて与えることも可能である。この場合は、時間は、基本となる無線通信システム１１００に特有でない通常の年月日時分秒情報によって与えることができる。
【００７２】
スペクトル割り当て情報は、割り当てが周波数分割多重（ＦＤＤ）システム、時分割多重（ＴＴＤ）システム又は他の型の割り当てであるかどうかを示すことができる。さらに、スペクトル割り当て情報は、ＦＤＤシステムにおける指定された搬送波の周波数及び／又は指定されたダウンリンク搬送波とアップリンク搬送波との間の周波数距離を含むことができる。
【００７３】
送信電力情報は、（基地局であることができる）送信元１１０２の現在の送信電力及び／又は最大送信電力能力を含むことができる。サービス情報は、現在のスペクトル帯域において提供されるサービスの型（例えば、伝統的なセルラーサービス、ピア・ツー・ピアアドホックネットワークサービス、認識無線サービス、等）を含むことができる。通信技術情報は、現在のスペクトル帯域（例えば、符号分割多元接続（ＣＤＭＡ）、直交周波数分割多元接続（ＯＦＤＭＡ）、グローバル移動通信システム（ＧＳＭ（登録商標））、等）において用いられるエアインタフェース技術に関連する情報を含むことができる。
【００７４】
システムバージョン（互換性）情報は、販売業者の識別子、ソフトウェアリリースバージョン番号及び／又はソフトウェアバージョンに関連するその他の情報を含むことができる。バージョン情報は、送信元１１０２と受信先１１０４との間における適合性を決定するために用いることができる。
【００７５】
スペクトル帯域に関連する情報は、地理的地域においてサービスを提供することができるその他のスペクトル帯域を識別することができる。サービスオペレータ（及び送信元１１０２）に関する情報は、サービスオペレータの名前と、送信元１１０２の地理上の位置と、その他の情報と、を含むことができる。
【００７６】
さらに加えて又は代替として、第１の部分組は、その他の時間とともに変化する情報、例えば、現在のスペクトル帯域及び／又はその他のスペクトル帯域のローディング情報、を含むこともできる。ローディング情報は、トラフィックチャネルの帯域幅及び／又は電力を利用することによって測定できるトラフィックチャネルのローディングを含むことができる。さらに、システム１１００内に現在存在するアクティブなモバイルデバイス数によって測定できるＭＡＣ状態のローディングも含むことができる。ローディング情報は、アクセスチャネルのローディングに関連することもでき、優先度が優先度しきい値を超える受信先１１０４のみが送信元１１０２にアクセスできるようにするための優先度しきい値として表すことができる。ローディング情報は、所定の送信元１１０２に関して経時で変化することができる。
【００７７】
幾つかの側面により、第１の部分組のブロードキャスト情報は、近隣のサービス基地局に関連するシステム情報を含むことができる。例えば、送信元１１０２は、受信先１１０４がその受信先１１０４にとってより魅力的なサービスを提供することができる隣接基地局に同調することができるように前記隣接基地局によって提供される利用可能なサービスをアドバタイズすることができる。さらに加えて又は代替として、送信元１１０２は、隣接基地局のローディング情報をブロードキャストすることができる。
【００７８】
メモリ１１１２は、受信先１１０２に動作可能な形で結合することができ、通信において受信された情報を解読すること及び／又は受信された通信を情報の副構成要素に分割することに関連する情報を格納する及び／又は命令を保持することができる。メモリ１１１２は、各副構成要素内に含まれる情報に関連する情報を格納することができる。
【００７９】
幾つかの側面により、メモリ１１１２は、ビーコン信号において受信された情報を選択的に復号することに関連する命令を保持することができる。命令は、その他の受信されたビーコン信号と比較して高エネルギーで送信されるビーコン信号として識別することができるビーコン信号を受信することを含むことができる。ビーコン信号は、１つ以上の帯域幅自由度を含むことができる。命令は、いずれの帯域幅自由度が部分組の自由度から受信されたかを決定することと、少なくとも２つの部分組からのいずれの部分組が受信されたかを決定すること、とをさらに含むことができる。メモリ１１１２は、ビーコン信号に含まれる２つ以上の部分組の情報から一組の帯域幅自由度を再構築することに関連する命令をさらに保持することができ、部分組は、互いに素である（ｄｉｓｊｏｉｎｔ）ことができる。第１の部分組内の情報は、ピア・ツー・ピア通信に関連することができ、又はその他の情報に関連することができる。メモリ１１１２は、ビーコン信号を、その他の信号を送信するために用いられる平均送信電力よりもＸｄＢ高い各々の選択された帯域幅自由度における電力を有する状態で受信されるとして識別することに関連する命令をさらに保持することができる。Ｘは、少なくとも１０ｄＢである。
【００８０】
さらに、メモリ１１１２は、情報信号が受信された一部分の周波数及び一部分の時間を選択的に決定することに関連する命令を保持することができる。命令は、一組の時間シンボルにおける一組の周波数トーンを含む信号を受信することと、信号が受信されたミクロブロックを確認することと、ミクロブロックを含むサブグループを決定することと、少なくとも２つのサブグループを含むブロックを識別すること、とを含むことができる。サブグループは、第１の情報ストリームの関数として選択しておくことができ、ミクロブロックは、第２の情報ストリームの関数として選択しておくことができる。第１の情報ストリーム及び第２の情報に基づくマッピングは、周波数及び時間に関して互いに排他的である。すなわち、第１の情報ストリームの変更は、第２の情報ストリームを変更させず、逆も同様である。命令は、式Ｘ^ｉ＝ｆｌｏｏｒ（Ｚｉ／Ｌ）を利用して第１の情報ストリームを解析することにさらに関連することができる。さらに、命令は、式Ｙ^ｉ＝ｍｏｄ（Ｚｉ／Ｌ）を利用して第２の情報ストリームを解析することに関連することができる。
【００８１】
さらに加えて又は代替として、メモリ１１１２は、高エネルギービーコン信号を含む波形を受信することに関連する命令を保持することができる。波形は、第１の値及び第２の値を表す合成値の関数であることができる。メモリ１１１２は、第１の値を独立して復号して第１の部分組の情報を入手すること及び第２の値を独立して復号して第２の部分組の情報を入手することに関連する情報をさらに保持することができる。第２の値は、第１の値のタイミングシーケンスと異なる間隔で繰り返すことができるタイミングシーケンスを提供することができる。波形を受信することは、ビーコン信号バーストを、その他の受信されたビーコン信号バーストと比較して高エネルギーで受信されるとして識別することを含むことができる。
【００８２】
幾つかの側面により、システム１１１０は、ビーコン信号において受信された情報を選択的に復号することができる。メモリ１１１２は、第１のコーディング方式｛ｂｉ｝及び第２のコーディング方式｛ｃｉ｝を含む単一のビーコン信号バーストを受信することに関連する命令を保持することができる。単一のビーコン信号バーストは、その他の受信されたビーコン信号バーストと比較して高エネルギーで受信することができるため識別可能である。単一のビーコン信号バーストは、第１のコーディング方式｛ｂｉ｝及び第２のコーディング方式｛ｃｉ｝の結合である値Ｚｉを含むことができ、Ｚｉは、スペースを占めるブロードキャスト信号を表す。第１のコーディング方式｛ｂｉ｝は、復号して第１の部分組の情報を入手することができ、第２のコーディング方式｛ｃｉ｝は、復号して第２の部分組の情報を入手することができる。第１のコーディング方式｛ｂｉ｝の復号及び第２のコーディング方式｛ｃｉ｝の復号は、独立して行うことができる。第２のコーディング方式｛ｃｉ｝は、第１のコーディング方式｛ｂｉ｝のタイミングシーケンスと異なる間隔で繰り返すことができるタイミングシーケンスを有することができる。メモリ１１１２は、第１のコーディング方式｛ｂｉ｝からの信号｛Ｘｉ｝を解釈すること及び第２のコーディング方式｛ｃｉ｝からの｛Ｙｉ｝ビットのシーケンスを解釈することに関連する命令をさらに保持することができる。
【００８３】
プロセッサ１１１４は、受信された情報の解析を容易にするために受信先１１０４（及び／又はメモリ１１１２）に動作可能な形で接続することができ及び／又はメモリ１１１２内に保持された命令を実行するように構成することができる。プロセッサ１１１４は、送信元１１０２から受信された情報を解析すること及び／又は情報ストリーム入手器１１０６、第１の情報ストリーム解析器１１０８及び／又は第２のコーディング方式解釈器１１１０によって利用できる情報を生成することを専用とするプロセッサであることができる。さらに加えて又は代替として、プロセッサ１１１４は、システム１１００の１つ以上の構成要素を制御するプロセッサ、及び／又は情報解析し、情報を生成し及び／又はシステム１１００の１つ以上の構成要素を制御するプロセッサであることができる。
【００８４】
図１３は、第２の部分組のブロードキャスト情報が相対的に短いブロードキャスティングサイクル時間で繰り返しブロードキャストされるときのビーコン信号例を示す。水平線１３０２は時間を表し、垂直線１３０４は周波数を表す。この例においては、ビーコンバースト内において、自由度は、２つの帯域幅部分組、すなわち、インデックス（例えば、｛Ｘｉ｝）“０”を有する部分組１３０６及びインデックス（例えば、｛Ｘｉ｝）“１”を有する部分組１３０８に分割される。この例における各帯域幅部分組１３０６、１３０８は、８つのトーンシンボルを含み、相対インデックス（例えば、｛Ｙｉ｝は、上から下に向かって０、１、．．．７である。
【００８５】
第２の部分組１３０８に対応する第２の情報ビットシーケンスは、固定された有限の一組のビットを含み、これらの一組のビットは、３つの連続するビーコンバーストにおいて繰り返し送信される。例えば、第２の情報ビットシーケンスは、３つの相対インデックス（例えば、｛Ｙｉ｝）ｒ１、ｒ２及びｒ３を決定する。ビーコンバースト１３１０では、１３１２において示されるように、ｒ１が、ビーコンシンボルの相対インデックス（例においては相対インデックス＝３）を決定するために用いられる。ビーコンバースト１３１４では、１３１６において示されるように、ｒ２が、ビーコンシンボルの相対インデックス（例においては相対インデックス＝５）を決定するために用いられる。ビーコンバースト１３１８では、１３２０において示されるように、ｒ３が、ビーコンシンボルの相対インデックス（例においては相対インデックス＝６）を決定するために用いられる。このパターンは、経時で繰り返し、ビーコンバースト１３２２では、１３２４において示されるように、ｒ１が、ビーコンシンボルの相対インデックス（例においては相対インデックス＝３）を決定するために用いられる。ビーコンバースト１３２６では、１３２８において示されるように、ｒ２が、ビーコンシンボルの相対インデックス（例においては相対インデックス＝５）を決定するために用いられる。ビーコンバースト１３３０では、１３３２において示されるように、ｒ３が、ビーコンシンボルの相対インデックス（例では相対インデックス＝６）を決定するために用いられ、以下同様である。
【００８６】
他方、第１の部分組に対応する第１の情報ビットシーケンスは、より多くのビットを含む。特に、第１の情報ビットシーケンスは、一連の帯域幅部分組インデックス（例えば、｛Ｘｉ｝ｍ１、ｍ２、ｍ３、ｍ４、ｍ５、ｍ６、等を決定する。ビーコンバースト１３１０では、ｍ１が、帯域幅部分組のインデックス（例では部分組インデックス＝０）を決定するために用いられる。ビーコンバースト１３１４では、ｍ２が、帯域幅部分組のインデックス（例では部分組インデックス＝０）を決定するために用いられる。ビーコンバースト１３１８では、ｍ３が、帯域幅部分組のインデックス（例では部分組インデックス＝１）を決定するために用いられる。ビーコンバースト１３２２では、ｍ４が、帯域幅部分組のインデックス（例では部分組インデックス＝１）を決定するために用いられる。ビーコンバースト１３２６では、ｍ５が、帯域幅部分組のインデックス（例では部分組インデックス＝０）を決定するために用いられる。ビーコンバースト１３３０では、ｍ６が、帯域幅部分組のインデックス（例では部分組インデックス＝０）を決定するために用いられる。相対インデックスｒ１、ｒ２、ｒ３は、短いブロードキャストティングサイクルで繰り返す一方で、部分組インデックスｍ１、ｍ２、．．．、は、それよりもはるかに長いブロードキャスティングサイクルで繰り返すことができ、又は完全には繰り返さない場合もある。
【００８７】
約１．２５ＭＨｚ帯域幅を用いるシステムの一例においては、全帯域幅が１１３のトーンに分割される。ビーコンバーストは、１つ又は２つのＯＦＤＭシンボル期間を含む。ビーコンバーストでは、トーンは、２つ又は３つの帯域幅部分組に分割され、その各々は、所定のＯＦＤＭシンボル期間においては３７のトーンシンボルを含む（例えば、Ｍ＝２又は３、及びＫ＝３７）。相対インデックスは、１８の連続するビーコンバーストごとに繰り返す。
【００８８】
代替として、示されていないが、第１の部分組のブロードキャスト情報は、相対インデックスとともに搬送され、第２の部分組のブロードキャスト情報は、帯域幅部分組インデックスとともに搬送される。
【００８９】
次に図１４に関して、開示された側面により実装されたブロードキャスト信号において一組のブロードキャスト情報ビットを送信する方法例１４００が示される。説明を単純化する目的上、この発明を実施するための最良の形態における方法は、一連の行為として示される及び説明される一方で、幾つかの行為は、１つ以上の側面により、異なる順序で及び／又は本明細書において示される及び説明される行為と異なるその他の行為と同時並行して生じることができるため、前記方法は、行為の順序によって制限されないことが理解及び評価されるべきである。例えば、方法は、代替として例えば状態図におけるように一連の相互に関連する状態又は事象として表すことが可能であることを当業者は理解及び評価するであろう。さらに、例示されるすべての行為が、１つ以上の側面により方法を実装するために要求されるわけではない。
【００９０】
所定のビーコンバーストにおいては、ビーコンシンボルは、第１及び第２の部分組のブロードキャスト情報を搬送するためにすべての利用可能な自由度のうちの１つの自由度を用いる。選択された自由度は、帯域幅部分組のうちの１つに属する。所定のビーコンバーストにおいては、第１の部分組のブロードキャスト情報は、ビーコン信号がいずれの帯域幅部分組（例えば、ブロック）を用いなければならないかを選択するために符号化され、第２の部分組のブロードキャスト情報は、ビーコン信号が選択された帯域幅部分組内においていずれの自由度を用いなければならないかを決定する。
【００９１】
第１の部分組のブロードキャスト情報は、第１のシーケンスの情報ビットによって表すことができ、第２の部分組のブロードキャスト情報は、第２のシーケンスの情報ビットによって表すことができる。第１の部分組は、基本構成に関連させることができ、スペクトルの特定の帯域をどのように用いるかを決定するためにピア・ツー・ピア通信デバイスに関するスペクトル構成情報を含むことができる。スペクトルの帯域は、ブロードキャスト情報が送信される帯域と同じ又は異なることができる。スペクトル構成情報は、スペクトルの特定の帯域をピア・ツー・ピア通信に関して用いることができるかどうか、及び用いることができる場合はピア・ツー・ピア通信送信に関する電力バジェットをピア・ツー・ピア通信デバイスに指示することができる。第２の部分組は、例えばハンドオフと関連させることができる。幾つかの側面により、第２の部分組は、ピア・ツー・ピア通信に関連する情報を含まない。情報ビットのシーケンスは、ブロードキャスト情報及びコーディング保護のための一定の冗長ビット（例えば、パリティ検査ビット）を含むことができることが理解されるべきである。所定のビーコンバーストにおいては、第１の情報ビットシーケンスの一部分及び第２の情報ビットシーケンスの一部分を送信することができる。
【００９２】
方法１４００は、予め決められた一組の帯域幅自由度を用いて一組のブロードキャスト情報ビットの送信を容易にすることができ、１４０２において、ブロードキャスト情報ビットの第１の部分組及びブロードキャスト情報ビットの第２の部分組を生成することから開始する。ブロードキャスト情報ビットのこれらの２つの部分組は、多数のブロードキャスト情報ビットから生成することができ、予め決められた方法で生成することができる。１４０４において、予め決められた一組の帯域幅自由度が２つ以上の部分組にパーティショニングされる。各部分組は、多数の帯域幅自由度を含むことができる。
【００９３】
１４０６において、ブロードキャスト情報ビットの帯域幅自由度の少なくとも２つ以上の部分組からの１つの部分組が、第１の部分組のブロードキャスト情報ビットの関数として選択される。サブグループは、互いに隣接すること又は遠隔であることができる。幾つかの側面により、ブロードキャスト情報ビットの第１及び第２の部分組は、ブロードキャスト情報ビットの組の互いに素の部分組である。サブグループは、複数の部分組又は自由度にパーティショニングすることができる。トーン内の各帯域幅自由度は、ＯＦＤＭシンボルであることができる。
【００９４】
１４０８において、選択された部分組内の帯域幅自由度のうちの少なくとも１つは、第２の部分組のブロードキャスト情報ビットの関数として選択される。ビーコン信号は、１４０８において、選択された部分組の帯域幅自由度中に送信される。幾つかの側面により、ビーコン信号は、その他の信号と実質的に同時に送信することができる。例えば、ビーコン信号は、その他の信号に重ね合わせることができる。ビーコンシンボルは、その他のビーコンシンボルと比較して高いエネルギーで送信することができる。ビーコン信号は、適時で生じるブロックのシーケンスを具備することができる。
【００９５】
幾つかの側面により、ブロードキャスト情報ビットの２つ以上の部分組のうちの少なくとも１つの部分組は、無線デバイスが他の無線デバイスと直接通信するピア・ツー・ピア通信に関して無線デバイスによって受信される制御情報を含む。制御情報は、周波数帯域所在場所情報、ピア・ツー・ピア通信が周波数帯域において許容されるかどうか、ピア・ツー・ピア通信に関して無線デバイスによって用いられる最大送信電力を制御する制御パラメータ、又はその組合せのうちの１つ以上を含むことができる。
【００９６】
１４０２において２つ以上の帯域幅部分組のうちのいずれの１つを使用するかを決定すること、及び１４０４において選択された帯域幅部分組内のいずれの自由度がビーコンシンボルを送信するかを決定することは、独立して行うことができる。例示する目的上、制限することなしに、所定のビーコンバースト内の利用可能なトーンシンボルは、絶対インデックスａ＝０、１、．．．、Ｎ−１の数字が付され、ここで、Ｎは、利用可能なトーンシンボルの総数を表す整数である。各帯域幅部分組において、トーンシンボルは相対インデックスｒ＝０、１、．．．、Ｋの数字が付され、ここで、Ｋは、各帯域幅部分組内のトーンシンボル数を表す整数である。この例においては、各帯域幅部分組内のトーンシンボル数は同じである。さらに、各帯域幅部分組の第１のトーンシンボル（例えば、相対インデックスが０に等しいトーンシンボル）の絶対インデックスは、ｓ＝ｓ０、ｓ１、．．．、ｓＭ−１によって与えられ、ここで、Ｍは、帯域幅部分組数を表す整数である。従って、所定のトーンシンボルに関して、絶対インデックス（ａ）は、トーンシンボルが属する帯域幅部分組のインデックス（ｍ）に関連し、相対インデックス（ｒ）は以下のとおりである。
【００９７】
ａ＝ｓｍ＋ｒ
式４  
１４０２において、帯域幅部分組のインデックス（ｍ）は、第１の部分組のブロードキャスト情報の情報シーケンスによって決定することができる。１４０４において、相対インデックス（ｒ）は、第２の部分組のブロードキャスト情報の情報シーケンスによって決定することができる。１４０２におけるｍの決定、及び１４０４におけるｒの決定は、独立して行うことができる点が注目されるべきである。ｍ及びｒから、１４０８において、ビーコンシンボルに関する絶対インデックス（ａ）が計算される。ｍを決定するために情報シーケンスの異なる部分が用いられるため、ビーコンバーストごとに、ビーコンシンボルは異なる帯域幅部分組を用いることができる。
【００９８】
第１及び第２の部分組のブロードキャスト情報の符号化及び復号は、開示される側面により独立して行うことができる。例えば、第１の部分組のブロードキャスト情報の符号化方式が変更されるときに、第２の部分組のブロードキャスト情報の符号化及び復号には影響がなく、逆も同様である。さらに、ｍは経時で変化するため、ビーコンシンボルは、異なる帯域幅部分組から発生し、それによってダイバーシティを増大させる。
【００９９】
図１５は、様々な側面によりビーコンシンボルからの２つの部分組のブロードキャスト情報を復号する方法例１５００を示す。ビーコンシンボルは、適時で発生するブロックのシーケンスを具備することができる。方法１５００が開始し、１５０２において、ビーコンバーストの期間内に信号が受信される。信号は、その他の受信された信号と比較して高エネルギーで受信することができる。さらに、信号は、その他の信号と実質的に同時に受信することができる。ビーコンシンボルが送信された自由度は、信号の受信と実質的に同時に決定することができる。自由度を決定するために、ビーコンシンボルの自由度当たりの送信電力は平均よりもはるかに高いという事実が利用される。
【０１００】
１５０４において、ビーコンシンボルが予め決められた複数の帯域幅部分組のうちのいずれの１つに属するか（例えばビーコンシンボルが受信された帯域幅部分組）が決定される。１５０６において、ビーコンシンボルが受信される選択された帯域幅部分組内の自由度が決定される。１５０４及び１５０６の結果は、第１及び第２の部分組のブロードキャスト情報をそれぞれ再構築するために用いることができる。第１の部分組は、基本構成に関連させることができ、第２の部分組は、ハンドオフに関連させることができる。
【０１０１】
１５０４において、ビーコンシンボルが予め決められた複数の帯域幅部分組のうちのいずれの１つに属するかを決定すること、及び１５０６において、ビーコンシンボルが送信される選択された帯域幅部分組内の自由度を決定することは、独立して行うことができる。図１４の例を続けると、受信されたビーコンシンボルの絶対インデックス（ａ）が検出される。この例においては帯域幅部分組は互いに素であるため、インデックスｍ及びｒは、ａから一意で導き出すことができる。帯域幅部分組が予め決められた時点で、ｍの決定は、絶対インデックス（ａ）がいずれの帯域幅部分組に属するかに依存し、従って、ｒの決定から独立している。
【０１０２】
図１６は、基地局を動作させる方法例１６００を示す。方法１６００が開始し、１６０２において、第１の値が第１の情報ストリームに割り当てられる。第１の情報ストリームは、第１の部分組のブロードキャスト情報を表すことができる。第１の値を第１の情報ストリームに割り当てることは、多数の情報ビット｛ｃｉ｝の各々をコーディングすることと、｛ｃｉ｝からビット｛Ｙｉ｝のシーケンスを決定すること、とを具備することができ、｛Ｙｉ｝は、単一のビットを表す。｛Ｙｉ｝ビットのシーケンスは、周期性に基づくことができる。
【０１０３】
１６０４において、第２の値が第２の情報ストリームに割り当てられる。第２の情報ストリームは、第２の部分組のブロードキャスト情報を表すことができる。第２の情報ストリームの値を割り当てることは、情報ビット｛ｂｉ｝をコーディングすることと、｛ｂｉ｝から信号｛Ｘｉ｝を生成すること、とを具備することができる。信号｛Ｘｉ｝は、｛Ｙｉ｝ビットのシーケンスの周期性から独立している周期性を有することができる。
【０１０４】
第１の情報ストリーム及び第２の情報は、１６０６おいて結合することができる。この結合は、希望される場合は両方の情報ストリームを実質的に同時に送信することを可能にする。しかしながら、各ストリームに関する値は異なっており、独立して導き出される。第１及び第２の情報ストリームを結合することは、式（Ｚｉ＝｛Ｘｉ｝＊Ｑ＋｛Ｙｉ｝）を用いて計算することができる。この式においては、｛Ｙｉ｝は、第１の情報ストリームに割り当てられた第１の値を表し、｛Ｘｉ｝は、第２の情報ストリームに割り当てられた第２の値を表し、Ｑは、第１の情報ストリームの最大値を表す。結合された情報ストリームは、第１の情報ストリームのスペース及び第２の情報ストリームのスペースよりも大きいスペースを占めるブロードキャスト信号を生成することができる。
【０１０５】
結合された値又は合成値は、１６０８において、合成値を生成する。１６１０において、合成値の関数として波形が送信される。波形は、高エネルギービーコン信号を含むことができる。自由度当たりのビーコンシンボルの送信電力は、その他の信号が送信される送信電力よりも少なくとも１０ｄＢ高いことができる。波形は、小さい自由度を占めることができる。意図される受信先は、波形を受信すること及び合成値を副構成要素（例えば、第１の情報ストリーム及び第２の情報ストリーム）に分離することができる。図１７は、通信において受信された波形の解釈を容易にする方法例１７００を示す。波形表現は、上図を参照して説明された方法１６００を利用した送信元から受信することができる。
【０１０６】
方法１７００が開始し、１７０２において、波形内に含まれる高エネルギービーコン信号が受信される。受信された信号は、第１の値及び第２の値の結合を含むことができる。第１の値及び第２の値の結合は、第１の情報ストリームのスペース及び第２の情報ストリームのスペースよりも大きいスペースを占めるブロードキャスト信号を具備する。信号は、高エネルギーで受信することができ及び／又は小さい自由度を占めることができる。さらに加えて又は代替として、信号は、その他の信号と実質的に同時に受信することができる。
【０１０７】
波形を受信するのと実質的に同時に、波形は、構文解析されて少なくとも２つの副構成要素又は値に分離される。１７０４において、第１の情報ストリームの第１の値が識別され、１７０６において、第２の情報ストリームの第２の値が決定される。第１の情報ストリームは、第１の部分組のブロードキャスト情報を表すことができ、第２の情報ストリームは、第２の部分組のブロードキャスト情報を表すことができる。これらのストリームの識別及び決定は、独立して及びあらゆる順序で行うことができる。従って、ストリームの符号化及び／又は復号が変更された場合でも、他方のストリームの符号化及び／又は復号には影響を及ぼさない。
【０１０８】
第１の値を第１の情報ストリームとして解釈することは、｛ｃｉ｝に含まれるビット｛Ｙｉ｝のシーケンスを決定することであって、｛Ｙｉ｝は単一のビットを表すことと、多数の情報ビット｛ｃｉ｝の各々を復号すること、とを含むことができる。第２の値を第２の情報ストリームとして解釈することは、｛ｂ１｝に含まれるＸｉの関数である信号を受信することと、情報ビット｛ｂ１｝を復号すること、とを含むことができる。
【０１０９】
幾つかの側面により、第１の値を解釈することは、｛Ｙｉ｝ビットのシーケンスを復号することを具備し、第２の値を解釈することは、信号｛Ｘｉ｝を復号することを具備する。信号｛Ｘｉ｝は、｛Ｙｉ｝ビットのシーケンスの周期性から独立した周期性を有する。
【０１１０】
図１８は、情報を送信するために一組の時間シンボルにおける一組の周波数トーンを用いる方法例１８００を示す。単一の送信中に異なる部分組の情報を送信するのを希望することができる。異なる部分組の情報は、情報（例えば、システムパラメータ情報、ハンドオフ情報、等）が受信先に該当するかに依存して同じ又は異なる受信先を対象にすることができる。方法１８００は、送信された情報の１つ以上の副構成要素を情報のその他の副構成要素に影響を与えずに修正するのを可能にする。
【０１１１】
１８０２において、少なくとも幾つかの周波数トーン及び幾つかの時間シンボルは、ブロックとして指定される。ブロックは、一組の時間シンボルにおける一組の周波数トーンを具備することができる。このブロックは、情報が送信される期間を表すことができ、経時で繰り返すことができる。ブロックは、１８０４において、２つ以上のサブグループにパーティショニングすることができる。各サブグループは、部分組の時間シンボルにおける部分組の周波数トーンを含むことができる。サブグループは、第１の情報ストリーム（例えば、｛ｂ１｝）を表すことができる。サブグループは、互いに隣接すること又は互いに離れていることができる。１８０６において、２つ以上のサブグループは、ミクロブロックに分割される。各ミクロブロックは、１つの時間シンボルにおける少なくとも１つの周波数トーンを含むことができる。各ミクロブロックは、第２のストリームの情報（例えば、｛ｃ１｝）を表すことができる。ミクロブロックは、等しい間隔である必要がない。マッピングは、第１及び第２の情報ストリームに基づくことができ、周波数及び時間に関して互いに排他的であることができる。すなわち、情報ストリームを変更することは、他方の情報ストリームに対して影響を及ぼさない。従って、周波数又は第１の副構成要素（例えばサブグループ）を変化させることは、タイミング（例えばマクロブロック）又は第２の副構成要素を変化させない。
【０１１２】
１８０８において、２つ以上のサブグループのうちの１つのサブグループ内のミクロブロックのうちの１つ（例えば自由度）が情報送信に関して選択される。サブグループの選択及びマクロブロックの選択は、送信された情報に含まれる情報を表す。サブグループは、第１の情報ストリームの関数として選択することができ、ミクロブロックは、第２の情報ストリームの関数として選択することができる。選択されたミクロブロックにおいては、情報は、選択されないミクロブロックと比較して高いエネルギーで送信される。
【０１１３】
図１９は、一組の時間シンボルにおける一組の周波数トーンを意味する受信信号の解釈に関する方法例１９００を示す。１９０２において、ブロードキャスト情報が受信される。このブロードキャスト情報は、ブロックから選択されたミクロブロックにおいて受信することができ、ミクロブロックは、１つの時間シンボルにおける１つ以上の周波数トーンを具備することができる。ブロードキャスト情報は、単一の信号（例えばミクロブロック）を送信するために結合された２つ以上の部分組の情報を含むことができる。信号内における情報の所在場所は、受信された信号を完全に評価するために情報の受信先によって復号されるべき情報を表す。情報を復号することは、１９０４において、ミクロブロックが属するサブグループを少なくとも２つのサブグループからを決定することと、１９０６において、サブグループを含むブロックを識別すること、とを含む。ブロックは、一組の時間シンボルにおける一組の周波数トーンを含むことができる。サブグループは、第１の情報ストリームの関数として表すこと又は選択することができ、ミクロブロックは、第２の情報ストリームの関数として表すこと又は選択することができる。第１及び第２の情報ストリームに基づくマッピングは、周波数及び時間に関して互いに排他的である。サブグループ及びミクロブロックの決定は、送信された情報に含まれる情報を搬送する。第１の情報ストリームを復号することは、第２の情報ストリームの復号に影響を及ぼさずに行うことができる。
【０１１４】
幾つかの側面により、所定のビーコンバーストにおいて、ビーコンシンボルを送信するために用いられるいずれかの自由度が情報を搬送する。実際には、各ビーコンバーストは、予め決められたアルファベットテーブル内の１つの要素に等しい値を有する情報シンボルを送信する。ビーコンバーストにおけるビーコン信号に関してＫの自由度が利用可能であり、これらの自由度に０、１、．．．、Ｋ−１のインデックスが付されると仮定する。一例においては、アルファベットテーブルは、０、１、．．．、Ｋ−１として与えられる。すなわち、情報シンボルの値は、ビーコンシンボルによって用いられる自由度のインデックスに等しい。この場合は、アルファベットテーブルの大きさは、Ｋに等しい。他の例においては、アルファベットテーブルの大きさは、ビーコンバースト内の自由度数よりも小さくすることができる。例えば、アルファベットテーブルは、０又は１として与えられる。すなわち、情報シンボルは、ビーコンシンボルによって用いられる自由度のインデックスがｆｌｏｏｒ（Ｋ／２）よりも小さい場合に０に等しくすることができる。他の例においては、アルファベットテーブルは、０及び１として与えられる。すなわち、情報シンボルは、ビーコンシンボルによって用いられる自由度のインデックスが偶数に等しい場合は０に等しくすることができ、その他の場合は１に等しくすることができる。
【０１１５】
アルファベットテーブルの大きさをＮとする。一例においては、単一のビーコンバースト内の情報シンボルは、固定された整数の数のブロードキャスト情報ビットを送信するために用いることができる。例えば、Ｎ＝２の場合は、情報シンボルを用いて１ビットを送信することができる。他の例においては、連続的であることができる予め決められた数の情報シンボルを用いて固定された整数の数のブロードキャスト情報ビットを送信することができる。例えば、Ｎ＝３の場合は、２つの情報シンボルが１つになって９つの異なる値をシグナリングすることができる。これらの値のうちの８つは、３ビットを送信するために用いることができ、最後の値は予約状態が維持される。従って、ビーコンバーストのシーケンスは、１つのシーケンスのブロードキャスト情報ビットを搬送することができる。
【０１１６】
幾つかの例により、ビーコンバーストは周期的に番号が付される。例えば、再度図２に関して、ビーコンバースト２１４は０の番号が付される。ビーコンバースト２１６は、１の番号が付され、ビーコンバースト２１８は２の番号が付される。次に、これらの番号が繰り返す。すなわち、ビーコンバースト２２０は０の番号が付され、以下同様である。この番号付与構造は、ビーコンバーストのシーケンス内において搬送されるビーコンシンボルによってシグナリングすることができる。
【０１１７】
例えば、アルファベットテーブルが０及び１として与えられる図２について検討する。すなわち、情報シンボルは、ビーコンシンボルによって用いられる自由度のインデックスがｆｌｏｏｒ（Ｋ／２）よりも小さい場合は０、その他の場合は１に等しくすることができ、ここで、Ｋは、自由度数である。実際上は、シグナリング方式は、自由度を２つの帯域部分組、すなわち、インデックスがｆｌｏｏｒ（Ｋ／２）よりも小さい帯域幅部分組及びインデックスがｆｌｏｏｒ（Ｋ／２）よりも大きいか又は等しい帯域幅部分組に分割する。ビーコンバーストにおいて、情報シンボルは、ビーコンシンボルに関していずれの帯域幅部分組を用いるかを選択することによってシグナリングされる。他方、帯域幅部分組を有する自由度は、相対インデックスを用いてインデキシングすることができ、各ビーコンバーストにおいて相対インデックスをシグナリングすることができる。幾つかのビーコンバーストの間隔において、番号付与構造を含む追加の情報を提供するために相対インデックスのシーケンスを用いることができる。
【０１１８】
番号付与構造は、実際には、同期化構造であり、予め決められた複数の情報シンボルを用いて固定された整数の数のブロードキャスト情報ビットを送信することができる例において用いるべきである。その場合は、番号付与構造は、ブロードキャスト情報ビットを決定するためにいずれの情報シンボルをいっしょに用いるべきかを決定するのに役立つ。例えば、図２において、各ビーコンバースト内の情報シンボルのアルファベットサイズが３であると仮定する。ビーコンバースト２１４及び２１６の情報シンボルは、共同で３ビットをシグナリングすることができ、ビーコンバースト２１８及び２２０の情報シンボルは、共同で他の３ビットをシグナリングすることができる。番号付与構造は、受信デバイスが２１６及び２１８を１つのグループに分けることによる間違いをしないように２１４及び２１６のグループ分けを識別するのに役立つ。
【０１１９】
幾つかの側面により、番号付与構造は、経時で観測された情報シンボルのシーケンスから単独で導き出すことができる。例えば、上例においては、情報シンボルのアルファベットサイズは、３であり、従って、一対の情報シンボルは、９つの別個の値をシグナリングすることができる。これらの値のうちの８つは、３ビットをシグナリングするために用いられ、最後の値は予約されるか又は用いられない。受信デバイスは、番号付与構造を導き出すために上記の構造を“盲目的に”利用することができる。具体的には、受信デバイスは、第１の番号付与構造を仮定し、（２１４、２１６）、（２１８，２２０）等の対を検査することができ、これらの対のいずれも予約された値を有さず、それにより、受信デバイスは、仮定された番号付与構造が正確であると判断することができる。他方、受信デバイスは、第２の番号付与構造を仮定し、（２１６及び２１８）等の対を検査することができ、無作為に、幾つかの対は予約された値を有することが可能であり、それにより、受信デバイスは、仮定された番号付与構造が不正確であると判断することができる。
【０１２０】
一般的には、ブロードキャスト信号を利用して送信することができる２つ以上の情報ストリームが存在する。第１のストリームは、通常はほとんどのセルラーネットワークによって用いられ、幾つかのパラメータ、例えば、セル識別、セクター識別、送信電力、アクセス電力及びモバイルデバイスが基地局のアイデンティティを決定するのを援助するその他の情報を含む。この第１のストリームは、モバイルデバイスがいつ基地局にアクセスすべきか、いつハンドオフを行うべきか、等を決定するためにモバイルデバイスによって用いられるパラメータを含む。
【０１２１】
第２のストリーム又は型の情報は、セルラー及び非セルラーの両方のアプリケーションをサポートするために用いられる情報であることができる。例えば、ライセンスが付与されたスペクトルが存在するが、一定のモバイルデバイスが基地局を経るのを軽減するためにアドホック通信を行うことができるピア・ツー・ピアネットワークを許容することが望ましい場合もある。しかしながら、モバイルデバイスがこの型の通信をランダムに確立するのを許容することに関連する１つの難題は、サービスプロバイダが通信を確立するのが望まれるスペクトルの所有権を有してない可能性があることである。例えば、デバイスが登録されているサービスプロバイダは、東海岸ではスペクトルの所有権を有している場合があるが、西海岸ではスペクトルの所有権を有していないことがある。西海岸でスペクトルを所有するサービスプロバイダは、登録されていないデバイスが自己のスペクトルにおいて通信するのを望まない。従って、デバイスは、通信を確立させることができる前にローカルのサービスプロバイダからの情報が必要である。
【０１２２】
他の例においては、今日では、未使用のスペクトルが存在している可能性があり、デバイスは、ピア・ツー・ピア通信を確立することができる。しかしながら、数年後には、インフラが構築される可能性があり、そのインフラ（例えばスペクトル）の所有者（例えばサービスブロバイダ）はそのときはピア・ツー・ピア通信を許可しないであろう。従って、サービスプロバイダは、スペクトルの使用方法に関連する制御を確立させることを希望するであろう。従って、モバイルデバイスは、これらの所在場所における送信を開始する前にこの情報を入手すべきである。
【０１２３】
幾つかの側面により、第１のストリームはウルトラモバイルブロードバンド（ＵＭＢ）情報に関して用いることができるため、スペクトルの使用方法に関連する情報は、漸進的情報と呼ぶことができ、第２のストリーム内に入れることができる。漸進的情報は、それほど緊急でないことがあり、モバイルデバイスがリッスンする時間が長いほど、受信される情報量が多くなる。
【０１２４】
第１又は第２のストリームのいずれも、上述された２つの符号化方式のうちの１つによって符号化することができる。例えば、第１のストリームは、情報ビット｛ｂｉ｝として符号化することができ、第２のストリームは、情報ビット｛ｃｉ｝として符号化することができる。代替として、第２のストリームは、情報ビット｛ｂｉ｝として符号化することができ、第１のストリームは、情報ビット｛ｃｉ｝として符号化することができる。
【０１２５】
次に図２０に関して、タイミング（例えば、同期化）情報を含むブロードキャストメッセージ２０００の一部分が示される。時間は横軸２００２において示される。概念的には、ブロードキャストメッセージ２０００は、情報ビット｛ｂｉ｝のストリームである。ブロック２００４においてｂ１が送信され、ブロック２００６においてｂ２が送信され、ブロック２００８においてｂ３が送信される。タイミング情報を搬送するため、ブロック２００４、２００６、２００８は、受信デバイスがメッセージを適切なシーケンスで解釈するのを可能にするためのパターン（例えば、タイミングパターン）又は番号付与を有するべきである。
【０１２６】
例えば、ブロードキャストメッセージがブロックｂ１  ２００４から始まる場合は、ブロックｂ２  ２００６においてブロードキャストすべき一定の事柄が存在することが可能である。このことは、複数の方法、例えば｛ｃｉ｝を見つける、を通じて見つけることができる番号付与技法で行うことができ、ここで、｛ｃｉ｝は、線形でブロードキャストすることができる特定の周期性を有する。｛ｃｉ｝が復号され、周期性が見つかった時点で、タイミング差に関して用いることができる。幾つかの側面により、｛ｃｉ｝において搬送される情報は、番号付与技法を見つけるために用いることができる。
【０１２７】
図２１に示される他の例においては、｛ｂｉ｝は、開始点を決定するために用いることができる。例えば、各回ごとに搬送される３つレベルが存在することができる。時間は、横軸２１０２において表され、３つの情報ビット２１０４、２１０６、及び２１０８が存在する。情報ビット内の各ブロックは、１、２又は３（例えば３つのレベル）のいずれかを送信することができる。情報ビット２１０４、２１０６、２１０８は、全体で、９つのレベル（０乃至８）をシグナリングすることができる。最後のレベル“８”は、予約すること又は非使用にすることができ、又はタイミングではなく情報を搬送するために用いることができる。
【０１２８】
送信元は、あらゆるビットの組合せ（例えば、２１０４と２１０６、２１０６と２１０８、２１０８と２１１０）を選択することができ、受信先は、いずれのビットが受信されたか知ることができないため、第４のビット２１１０を有する他のレベルを追加することは問題を発生させる。しかしながら、例により、ビット２１０８は、使用すべきでないビット番号８を搬送するため使用すべきでない。従って、不正確な組合せ（例えば、２１０６及び２１０８）が選択された場合は、値コーディングであるため受信先がビット８を見る可能性がある。ビット８が受信先によって見つけられた場合は、タイミング構造を提供するタイミングが不整合であることを示す（例えば、８は存在することになっていなかったため、エラーである）。
【０１２９】
タイミングを決定するために、受信先は、タイミング情報及びマーク又はインジケータを提供することができるビットストリーム、例えば図２２に示される例、を入手する。このことは、同期及び非同期メッセージが存在することができる位相構造を定義することを可能にする。例えば、マーク２２０２、２２０４後の第１の２つのビットは、幾つかの同期メッセージを搬送する（例えば、所在場所自体は、メッセージの解釈方法に関する情報を提供する）。同期メッセージは、必ずしもメッセージを有しておらず、所在場所自体がメッセージである。メッセージの残りの部分（例えばビット）は、非同期メッセージとしてまとめて受け取ることができ、ヘッダー／本体／メッセージを入手するために１つにまとめることができる。開始点及び終了点は、必ずしも位置又は所在場所ではなくメッセージフォーマットによって決定することができる。
【０１３０】
受信デバイスがより長時間メッセージをリッスンするほどより多くのビットを受信する。同期メッセージ内においては、幾つかのメッセージは一定の時間に繰り返し、他のメッセージは異なる時間に繰り返す複数の同期メッセージグループが存在することができる。この点を示すメッセージ例が図２３に存在し、メッセージ“Ａ”は、非常に頻繁に繰り返し（２３０２、２３０４、２３０６において例示）、メッセージ“Ｂ”及び“Ｃ”は、異なる周期性を有する（２３０８、２３１０及び２３１２、２３１４においてそれぞれ例示される）。従って、位置自体がビットの解釈を定義するタイミングになるため異なる同期メッセージに関して異なる周期性が存在することができる。
【０１３１】
メッセージは、スペクトルの使用方法、デバイスがスペクトル及び／又はその他の情報を用いるのを許容されているかどうか、又はその組合せに関する特定の情報を含むことができる。例えば、メッセージがスペクトル“１”においてブロードキャストされる場合は、メッセージは、そのスペクトルを使用可能であるかどうかを知らせる必要がなく、デバイスはスペクトル“２”を使用可能であることだけを示すことができ、ここで、スペクトル“２”は、影響を受けない波形である。従って、メッセージは、ブロードキャストメッセージがブロードキャスト中であるスペクトルに関連する必要がなく、利用可能であると思われるその他のスペクトルに関連することができる。受信デバイスは、メッセージの特定の部分をリッスンし、利用可能な他のスペクトルを用いることを決定することができる。現在の又は他のスペクトルの使用を示すメッセージは、同期メッセージ又は非同期メッセージのいずれかであることができる。
【０１３２】
図２４は、１つ以上のサブシーケンスを含むブロードキャスト情報ビットのシーケンスを送信するためのシステム例２４００を示す。システム２４００は、１つ以上の受信先２４０４に情報をブロードキャストする１つ以上の送信元２４０２を含む。送信元２４０２は、ブロードキャスティングスケジュールを決定及び変更することができる。例えば、送信元２４０２は、幾つかのメッセージをその他のメッセージよりも頻繁にブロードキャストすること及び／又は幾つかのメッセージを１回だけ又は数回ブロードキャストしてその後はまったく繰り返さないことができる。
【０１３３】
送信元は、１つ以上のサブシーケンスのブロードキャスト情報ビットを定義し、ブロードキャストメッセージ内における１つ以上のサブシーケンスに関する構造を決定するように構成することができるアレンジャ２４０６を含むことができる。構造は、ブロードキャストメッセージ内における各サブシーケンスの位置であると定義することができる。位置決定は、予め定義することができる。
【０１３４】
シーケンスは、ブロードキャストメッセージ又は信号内における各サブシーケンスの位置又は所在場所を示すように入手器２４０８によって構成することができる一定の構造（例えば、番号付与／タイミング構造）を有することができる。ブロードキャスト情報の組は、複数の部分組を含むことができ、ブロードキャスト情報の各部分組は、特定のサブシーケンスを用いて、ブロードキャスタ２４１０によって送信される。幾つかの側面により、サブシーケンスは、互いにインターリービングすることができる。
【０１３５】
メモリ２４１２は、動作可能な形で受信先２４０２に結合することができ、ブロードキャスト情報ビットの１つ以上のサブシーケンスを定義すること及びブロードキャスト信号に内蔵されるサブシーケンスの構造を決定することに関連する情報を格納する及び／又は命令を保持することができる。タイミング構造は、ブロードキャスト信号において符号化することができる。
【０１３６】
メモリ２４１２は、サブシーケンスの各々の開始をマーキングすること及びブロードキャスト信号を送信することに関連する命令をさらに保持することができる。サブシーケンスの各々の開始をマーキングすることは、位相又はタイミング構造を定義することができる。サブシーケンスの各々の示された開始は、同期及び非同期メッセージをブロードキャスト信号に含めるのを可能にすることができる。ブロードキャスト信号は、非同期メッセージ、同期メッセージ又はその組合せを含むことができる。幾つかの側面により、メッセージの所在場所が情報を搬送する。非同期メッセージは、非同期メッセージの定義を提供するメッセージヘッダーを含むことができる。同期メッセージの定義は、ブロードキャスト信号内における位置の関数であることができる。
【０１３７】
ブロードキャスト信号に含まれる２つ以上のサブシーケンスは、異なる周期性を有することができ又は互いにインターリービングすることができる。幾つかの側面により、サブシーケンスのブロードキャスティングサイクルは、少なくとも１秒であり、各々のブロードキャスティングサイクルごとに次々に送信される。さらに加えて又は代替として、ブロードキャスト信号は、スペクトルの使用、スペクトルを用いることが許容されるデバイス又はその組合せに関する情報を含む。
【０１３８】
プロセッサ２４１４は、受信された情報の解析を容易にするために受信先２４０４（及び／又はメモリ２４１２）に動作可能な形で接続することができ及び／又はメモリ２４１２に保持される命令を実行するように構成することができる。プロセッサ２４１４は、送信元２４０２から受信された情報を解析すること及び／又はアレンジャ２４０６、入手器２４０８及び／又はブロードキャスタ２４１０によって利用することができる情報を生成することを専用とするプロセッサであることができる。さらに加えて又は代替として、プロセッサ２４１４は、システム２４００の１つ以上の構成要素を制御するプロセッサであること及び／又は情報を解析する、情報を生成する及び／又はシステム２４００の１つ以上の構成要素を制御するプロセッサであることができる。
【０１３９】
次に図２５に関して、複数のサブシーケンスを含むブロードキャスト信号を解釈するためのシステム例２５００が示される。送信元２５０２は、受信先２５０４を対象とする情報をブロードキャストするように構成することができる。ブロードキャスト情報は、複数のサブシーケンスを含むことができ又は単一のサブシーケンスを含むことができる。サブシーケンスを解釈するため、受信先２５０４は、タイミングロケータ２５０６と、メッセージヘッダー定義器２５０８と、評価器２５１０と、を含むことができる。
【０１４０】
タイミングロケータ２５０６は、受信されたブロードキャストメッセージについて評価し、タイミング構造を確認するように構成することができる。幾つかの側面により、サブシーケンスの少なくとも部分組（例えば、サブシーケンスにおいて搬送されるビットの解釈）のフォーマットは、サブシーケンス内における位置の関数として予め決定することができる。フォーマットは、予め決められたブロードキャスティングサイクルに従って繰り返すことができる。例えば、サブシーケンスにおいて搬送される情報ビットは、ブロードキャスティングサイクルに従って繰り返すことができる。従って、情報は、同期的に送信され、サブシーケンスは、同期サブシーケンスと呼ばれる。幾つかの側面により、異なるサブシーケンスは、異なるブロードキャスティングサイクルを有することができる。
【０１４１】
幾つかの側面により、幾つかのサブシーケンスのフォーマットは、サブシーケンス内における位置の関数として予め決定されない。サブシーケンスにおいて搬送された情報ビットは、予め決められない又は固定されない異なるブロードキャストメッセージに属することができる。各メッセージは、メッセージヘッド及びメッセージ本体のうちの少なくとも１つを含むことができる。従って、メッセージは、非同期的に送信することができ、サブシーケンスは、非同期サブシーケンスと呼ぶことができる。メッセージヘッダー定義器２５０８は、ブロードキャスト信号（又はブロードキャスト信号に含まれるサブシーケンス）を評価してヘッダーを定義するように構成することができる。
【０１４２】
幾つかの側面により、同期及び非同期サブシーケンスは、ブロードキャスト情報のシーケンス内に共存することができる。短い間隔において、受信先２５０４は、送信元（例えば交信局）にアクセスするために必要なブロードキャスト情報をビーコン信号から入手することができるべきである。時間が経過するのに従い、受信先２５０４は、より多くのビーコンバーストを受信することができ、より多くのブロードキャスト情報ビットを累積することができる。
【０１４３】
受信され、定義されたメッセージヘッダーによって少なくとも部分的に解釈された情報に基づき、評価器２５１０は、受信先２５０４が第１のスペクトルから第２のスペクトルに変更すべきか、現在のスペクトルにとどまるべきか、送信電力又はその他のパラメータを変更すべきかの決定を行うことができる。
【０１４４】
例えば、第１のモバイルデバイスは、第２のモバイルデバイスとの通信（例えば、ピア・ツー・ピア通信）を確立することを希望する。両モバイルデバイスが所在する地域を担当する基地局によってメッセージをブロードキャストすることができる。ブロードキャストメッセージは、これらのデバイスは特定のスペクトルを用いる場合にピア・ツー・ピア通信を確立できることを示す情報を含むことができる。この情報は、図２３において示されるメッセージと同様のチャネル“Ａ”において送信することができる。チャネル“Ｂ”の目的は、異なる周期性を提供することであることができる。モバイルデバイスの各々は、ビットを解釈する方法を決定するためにメッセージのタイミングを見つける。いったん解釈された時点で、ビットを評価して、一定のスペクトルを用いるべきかどうか、通信に関する優先度が存在するかどうか又はその他の情報を決定することができる。提供可能な追加情報は、電力情報、例えばモバイルデバイスがしきいレベルよりも低い電力しか用いることができないことの表示、である。さらに加えて又は代替として、デバイスが各々の送信を決定するために有すべきである物理層／ｍａｃ層パラメータが存在することができる。
【０１４５】
メモリ２５１２は、動作可能な形で受信先２５０２に結合することができ、ブロードキャスト情報ビットの少なくとも１つのサブシーケンスを含むブロードキャスト信号を受信することに関連する情報を格納すること及び／又は命令を保持することができる。サブシーケンスは、少なくとも１つの非同期メッセージ又は少なくとも１つの同期メッセージ、又はその組合せを含むことができる。同期メッセージの定義は、ブロードキャスト信号内における同期メッセージの位置の関数であることができ、非同期メッセージは、非同期メッセージの定義を提供するメッセージヘッダーを含むことができる。
【０１４６】
メモリ２１５は、受信されたブロードキャスト信号に含まれる各サブシーケンスの開始位置を特定すること及び開始位置の特定に部分的に基づいて少なくとも１つのサブシーケンスを復号することに関連する命令をさらに保持することができる。開始位置を見つけることは、ビーコン信号に含まれるインジケータの所在場所を特定することを含むことができる。同期メッセージの開始位置は、情報を搬送することができる。メモリ２５１２は、解釈されたメッセージに部分的に基づいて少なくとも１つのパラメータを変更することに関連する命令をさらに保持することができる。
【０１４７】
プロセッサ２５１４は、受信された情報の解析を容易にするために動作可能な形で受信先２５０４（及び／又はメモリ２５１２）に接続することができ及び／又はメモリ２５１２に保持される命令を実行するように構成することができる。プロセッサ２５１４は、送信元２５０２から受信された情報を解析すること及び／又は情報ストリーム入手器２５０６、第１の情報ストリーム解析器２５０８及び／又は第２の情報方式解釈器２５１０によって利用できる情報を生成することを専用とするプロセッサであることができる。さらに加えて又は代替として、プロセッサ２５１４は、システム２５００の１つ以上の構成要素を制御するプロセッサ、及び／又は情報を解析する、情報を生成する及び／又はシステム２５００の１つ以上の構成要素を制御するプロセッサであることができる。
【０１４８】
幾つかの側面により、ブロードキャスト情報ビットのシーケンスは、複数のシーケンスを含む。図２６は、ブロードキャスト情報ビットのシーケンス２６００を開示された側面に従って実装される複数のサブシーケンスにパーティショニングする例を示す。
【０１４９】
横軸２６０２は、ブロードキャスト情報ビットのシーケンス２６００を送信中の論理時間を表す。幾つかの四角形が経時で順次示されており、各々の四角形は、シーケンス２６００内における１つの情報ビットブロックを表す。四角形の長さは、対応するブロックのサイズを示す。四角形のファイリング（ｆｉｌｉｎｇ）パターンは、関連づけられたサブシーケンスに属するビットのブロックを表す。異なるフィリング（ｆｉｌｌｉｎｇ）パターンを有する四角形は、異なるサブシーケンスと関連づけられる。例えば、四角形２６０４、２６０８、２６１４、２６１８及び２６２４はすべて同じフィリングパターンを有しており、第１のサブシーケンスのビットを送信するために用いられる。四角形２６０６、２６１６及び２６２６はすべて同じフィリングパターンを有しており、第２のサブシーケンスのビットを送信するために用いられる。四角形２６１０及２６２０は両方とも、同じフィリングパターンを有しており、第３のサブシーケンスのビットを送信するために用いられる。ボックス２６１２及び２６２２は両方とも、同じファイリングパターンを有しており、第４のサブシーケンスのビットを送信するために用いられる。
【０１５０】
幾つかの側面により、１つのサブシーケンスのブロードキャスティングサイクルは、他のサブシーケンスのブロードキャスティングサイクルと異なることができる。例えば、第１のサブシーケンスは、第２のサブシーケンスよりも短いサイクルを有し、第１のサブシーケンスのブロックサイズは、第２のサブシーケンスのブロックサイズよりも小さい。
【０１５１】
シーケンスは、ブロードキャスト情報ビットのシーケンス内の各サブシーケンスの位置は予め決められて固定されているという意味で予め決められた一定の方法で複数のサブシーケンスにパーティショニングされる。サブシーケンスは、互いにインターリービングされる。受信デバイスがシーケンスと同期化するのを可能にするため、一例においては、シーケンスは、サブシーケンスの位置を示す一定の構造（例えば、番号付与／タイミング構造）を有する。例えば、番号付与構造は、前例と類似するビーコンバーストのシーケンスにおいて搬送されるビーコンシンボルによってシグナリングすることができる。他の例においては、１つのサブシーケンス（例えば図２６の第４のサブシーケンス）は、その他の全サブシーケンスのパリティ検査である。例えば、四角形２６２２は、その他のすべてのサブシーケンスの先行する四角形のパリティ検査ビットを含み、四角形２６１４、２６１６、２６１８及び２６２０を含む。次に、受信デバイスは、コーディング構造を利用し、移動ウィンドー探索を実行してパリティ検査四角形の位置を検出し、従って同期化構造を決定することができる。
【０１５２】
ブロードキャスト情報の組は、複数の部分組を含む。ブロードキャスト情報の各部分組は、特定のサブシーケンスを用いて送信される。サブシーケンスは、サブシーケンスにおいて搬送されたビットを解釈するための自己のフォーマットを有することができる。異なるサブシーケンスが異なるフォーマットを用いることができる。幾つかの側面により、サブシーケンスは、以下においてさらに詳細に説明されるように、同期又は非同期フォーマットを用いることができる。シーケンスは、様々な同期サブシーケンスと、１つ又は複数の非同期サブシーケンスと、を含むことができる。一例により、シーケンス内には１つの非同期サブシーケンスのみが存在する。
【０１５３】
同期サブシーケンス（例えば、サブシーケンスにおいて搬送される情報ビットの解釈）のフォーマットは、サブシーケンス内における位置の関数として予め決められる。従って、ビットをどのようにして解釈すべきかを示すためのメッセージヘッドが必要ない。図２７は、開示された側面により実装される同期サブシーケンス２７００の例を示す。
【０１５４】
水平線２７０２は、時間を表す。四角形２７０４、２７０８及び２７１２は、バージョン番号及び送信電力に関する情報を搬送することができる。バージョン番号は、ソフトウェアリリースバージョン番号であることができ、交信局とモバイルデバイスとの間における適合性を決定するために用いることができる。送信電力は、交信局の現在の送信電力及び最大電力能力であることができる。四角形２７０６は、スペクトル割り当て及びサービスの型に関する情報を搬送することができる。スペクトル割り当て情報は、スペクトルがＦＤＤ、ＴＤＤ等であるかを示すことができ、指定された搬送波の周波数又はＦＤＤシステム内における指定されたダウンリンク搬送波とアップリンク搬送波との間の周波数距離をさらに含むことができる。サービスの型は、伝統的なセルラーサービス、ピア・ツー・ピアアドホックネットワークサービス、認識無線サービス、等であることができる。四角形２７１０は、スペクトル割り当て及びサポートされる技術に関する情報を搬送することができる。サポートされる技術は、エアインタフェース技術（例えば、ＣＤＭＡ、ＯＦＤＭＡ、ＧＳＭ、等）を示す。バージョン番号の情報はサブシーケンスの予め決められた位置において送信されるため、メッセージヘッドを添付する必要がないことが注目されるべきである。
【０１５５】
所定の同期サブシーケンスにおいては、フォーマットは、予め決められたブロードキャスティングサイクルに従って繰り返すことができる。異なる情報は、（例えば、情報をどのような頻度で受信デバイスに送信すべきかの関数として）異なるブロードキャスティングサイクルを有することができる。示される例においては、バージョン番号又はスペクトル割り当ての情報は、１つの四角形おきに繰り返し、サービスの型又はサポートされる技術に関するブロードキャスティングサイクルは、それ以上長くない。この方法により、受信デバイスは、時間的に極めて重要なブロードキャスト情報を短い時間間隔で入手することができる。従って、受信デバイスがビーコンバーストを受信し続けるのに従い、受信デバイスは、時間的重要度がより低い情報を含むより多くのブロードキャスト情報を入手することができる。
【０１５６】
非同期サブシーケンスのフォーマットは、サブシーケンス内における位置の関数として予め決められない。サブシーケンスにおいて搬送される情報ビットは、異なるブロードキャストメッセージに属することができ、個々のメッセージの始めと終わりを示すためのデリミッタを追加することができる。図２８は、本明細書において開示される様々な側面に従って実装される非同期サブシーケンス２８００の例を示す。
【０１５７】
時間は、水平線２８０２に沿って示される。四角形２８０４、２８０６及び２８０８は、非同期サブシーケンスの一部である。例示においては、メッセージは、四角形２８０４内において開始し、四角形２８０６において継続し、四角形２８０８において終了する。メッセージ２８１０及び２８１２の開始点及び終了点は、幾つかのデリミッタによって定義される。サブシーケンスは、異なる長さを有する異なるメッセージを送信するために用いることができる。メッセージが送信される順序は厳格には定義されていない。交信局は、ブロードキャスティングスケジュールを自由に決定及び変更することができる。従って、特定のメッセージの発生は予め決められない。各メッセージは、メッセージヘッド及びメッセージ本体のうちの少なくとも１つを含むことができる。
【０１５８】
一般的には、メッセージは、所定の非同期サブシーケンスで順次送信される。幾つかの側面により、複数の非同期サブシーケンスが存在し、これらの複数の非同期サブシーケンスは、ブロードキャスト情報のシーケンス内において互いにインターリービングし、その場合は、２つ以上のメッセージを並行して送信することができる。
【０１５９】
図２９は、１つ以上のシーケンスのブロードキャスト情報ビットを含むブロードキャスト信号を送信する方法例２９００を示す。方法２９００が開始し、２９０２において、ブロードキャストメッセージに含まれる１つ以上のサブシーケンスのブロードキャスト情報ビットが定義される。２９０４において、１つ以上のサブシーケンスの位置構造が決定される。位置構造を決定することは、ブロードキャストメッセージ内における各サブシーケンスの位置を決定することを含むことができ、予め定義することができる。構造は、番号付与又はタイミングのうちの少なくとも１つ又はその組合せとして定義することができる。
【０１６０】
１つ以上のサブシーケンスを含むメッセージの受信先がそのメッセージを理解するために、２９０６において１つ以上のサブシーケンスの位置が示されるか又はマーキングされる。幾つかの側面により、１つ以上のサブシーケンスの位置を示すためのタイミング構造を決定することができる。タイミング構造は、ブロードキャスト信号内において符号化することができる。
【０１６１】
２９０８において対象となる受信先にブロードキャスト信号が送信される。２つ以上のサブシーケンスを異なる周期性を持って送信することができる（例えば、第１のメッセージは、ブロードキャスト信号内において少なくとも第２のメッセージよりも頻繁にブロードキャストすることができる）。第１のメッセージは、わずか数回だけブロードキャストし、絶対に繰り返されないようにすることができる。サブシーケンスのうちの１つのブロードキャスティングサイクルは、約１秒であることができ、サブシーケンスは、各々のブロードキャスティングサイクルごとに次々に送信することができる。２つ以上のサブシーケンスを互いにインターリービングすることができる。
【０１６２】
ブロードキャスト情報ビットのシーケンスは、非同期メッセージ、同期メッセージ又はその組合せ（例えば、ブロードキャスト情報ビットのシーケンスに含まれる少なくとも１つの非同期メッセージ及び１つ以上の同期メッセージ）を含むことができる。同期メッセージは、ブロードキャスト信号内における同期メッセージの位置の関数として定義することができる。非同期メッセージの定義を提供するメッセージヘッダーは、非同期メッセージ内に含めることができる。
【０１６３】
図３０は、受信されたブロードキャスト信号内のタイミング情報及び関連するメッセージを解釈するための方法例３０００を示す。３００２において、少なくとも１つのサブシーケンスのブロードキャスト情報ビットを含むブロードキャストメッセージが受信される。サブシーケンスは、約１秒以上であることができ及び各々のブロードキャスティングサイクルごとに次々に受信することができる。２つ以上のサブシーケンスを異なる周期性で受信することができ及び／又は互いにインターリービングすることができる。幾つかの側面により、ブロードキャスト信号は、少なくとも１つの非同期メッセージ又は少なくとも１つの同期メッセージ又はその組合せを含むことができる。１つ以上の同期メッセージの定義は、受信されたブロードキャスト信号内における同期メッセージの位置の関数であることができる。１つ以上の非同期メッセージは、非同期メッセージの定義を示すメッセージヘッダーを含むことができる。
【０１６４】
３００４において、１つ以上のサブシーケンスの位置が、ブロードキャスト信号に含まれているインジケータに基づいて決定される。インジケータは、ブロードキャスト信号内における各サブシーケンスの所在場所又は位置を指定することができる。１つ以上のサブシーケンスのブロードキャスト情報は、３００６において、決定された位置に部分的に基づいて復号することができる。ブロードキャスト信号に含まれるタイミング構造も復号することができる。タイミングは、１つ以上のサブシーケンスの開始所在場所又は位置に部分的に基づいて決定することができる。
【０１６５】
復号されたメッセージに含まれる情報に部分的に基づき、１つ以上のパラメータを変更することができる。例えば、メッセージに含まれる情報に基づいて第１のスペクトルから他のスペクトルに変更する決定を行うことができる。他の例は、メッセージ情報に基づいて電力を修正すること、いずれのスペクトルを用いるかを決定すること、又はその他のパラメータを変更することである。
【０１６６】
幾つかの側面により、方法３００は、ブロードキャスト信号の幾つかの部分をひとつにまとめてヘッダー／本体／メッセージシーケンスを導き出すこと及び／又はメッセージフォーマットに部分的に基づいてメッセージの開始点及び終了点を決定することをさらに具備する。
【０１６７】
本明細書において説明される１つ以上の側面により、ブロードキャスト信号の送信及び／又は解釈に関する推論を行うことができる。本明細書において用いられる“推論する”又は“推論”という用語は、一般的には、システム、環境、及び／又はユーザーの状態をイベント及び／又はデータを通じてキャプチャされた一組の観測結果から推理又は推論するプロセスを意味する。推論は、特定のコンテキスト又は行動を識別するために採用することができ、又は例えば状態に関する確率分布を生成することができる。推論は、確率論である。すなわち、データ及びイベントを考慮することに基づいて対象となる状態に関する確率分布を求めることである。推論は、より高いレベルのイベントを一組のイベント及び／又はデータから構成するために採用された技法を意味することもできる。該推論の結果、一組の観測されたイベント及び／又は格納されたイベントデータ、これらのイベントが時間的に近接した状態で相関関係にあるかどうか、及びこれらのイベント及びデータが１つ又は幾つかのイベント又はデータソースからのものであるかどうかから新しいイベント又は行動が構築されることになる。
【０１６８】
一例により、上述される１つ以上の方法は、ビーコンシンボルを送信するための自由度を選択することに関連する推論を行うことを含むことができる。他の例により、ブロードキャスト信号に含まれるサブストリームの情報を他のストリームの情報から独立して結合する及び／又は復号することに関連する推論を行うことができる。他の例により、ブロードキャストメッセージに含まれる１つ以上のサブシーケンスに関連する推論を行うことができる。上例は、例示することを目的とするものであり、行うことができる推論数及び本明細書において説明される様々な例と関係づけて該推論が行われる方法を限定することは意図されないことが理解されるであろう。
【０１６９】
図３１は、複数のセル、すなわち、セルＩ  ３１０２、セルＭ  ３１０４、を含む様々な側面に従って実装される通信システム例３１００を示す。セル境界領域３１６８によって示されるように近隣セル３１０２、３１０４はわずかに重なり合っており、それによって、近隣セル内の基地局によって送信された信号間の信号干渉の可能性を生じさせることに注目すること。システム３１００の各セル３１０２、３１０４は、３つのセクターを含む。様々な側面により、複数のセクターに細分割されていないセル（Ｎ＝１）、２つのセクターを有するセル（Ｎ＝２）及び４つ以上のセクターを有するセル（Ｎ＞３）も可能である。セル３１０２は、第１のセクター、セクターＩ  ３１１０と、第２のセクター、セクターＩＩ  ３１１２と、第３のセクター、セクターＩＩＩ  ３１１４と、を含む。各セクター３１１０、３１１２、３１１４は、２つのセクター境界領域を有し、各境界領域は、２つの隣接するセクター間で共有される。
【０１７０】
セクター境界領域は、近隣セクター内の基地局によって送信された信号間における信号干渉の可能性を生じさせる。ライン３１１６は、セクターＩ  ３１１０とセクターＩＩ  ３１１２との間におけるセクター境界領域を表し、ライン３１１８は、セクターＩＩ  ３１１２とセクターＩＩＩ  ３１１４との間におけるセクター境界領域を表し、ライン３１２０は、セクターＩＩＩ  ３１１４とセクターＩ  ３１１０との間におけるセクター境界領域を表す。同様に、セルＭ  ３１０４は、第１のセクター、セクターＩ  ３１２２と、第２のセクターＩＩ  ３１２４と、第３のセクター、セクターＩＩＩ ３１２６と、を含む。ライン３１２８は、セクターＩ  ３１２２とセクターＩＩ ３１２４との間におけるセクター境界領域を表す。ライン３１３０は、セクターＩＩ  ３１２４とセクターＩＩＩ  ３１２６との間におけるセクター境界領域を表す。ライン３１３２は、セクターＩＩＩ  ３１２６とセクターＩ  ３１２２との間における境界領域を表す。セルＩ  ３１０２は、基地局（ＢＳ）、基地局Ｉ  ３１０６と、各セクター３１１０、３１１２、３１１４内の複数のエンドノード（ＥＮ）（例えば、無線端末）と、を含む。セクターＩ  ３１１０は、無線リンク３１４０、３１４２をそれぞれ通じてＢＳ３１０６に結合されたＥＮ（１）３１３６と、ＥＮ（Ｘ）３１３８と、を含む。セクターＩＩ  ３１１２は、無線リンク３１４８、３１５０をそれぞれ通じてＢＳ  ３１０６に結合されたＥＮ（１’）３１４４と、ＥＮ（Ｘ’）３１４６と、を含む。セクターＩＩＩ  ３１１４は、無線リンク３１５６、３１５８をそれぞれ通じてＢＳ  ３１０６に結合されたＥＮ（１’’）３１５２と、ＥＮ（Ｘ’’）３１５４と、を含む。同様に、セルＭ  ３１０４は、基地局Ｍ  ３１０８と、各セクター３１２２、３１２４、３１２６内の複数のエンドノード（ＥＮ）と、を含む。セクターＩ  ３１２２は、無線リンク３１４０’、３１４２’をそれぞれ通じてＢＳ  Ｍ３１０８に結合されたＥＮ（１）３１３６’と、ＥＮ（Ｘ）３１３８’と、を含む。セクターＩＩ  ３１２４は、無線リンク３１４８’、３１５０’をそれぞれ通じてＢＳ  Ｍ３１０８に結合されたＥＮ（１’）３１４４’と、ＥＮ（Ｘ’）３１４６’と、を含む。セクター３  ３１２６は、無線リンク３１５６’、３１５８’をそれぞれ通じてＢＳ  ３１０８に結合されたＥＮ（１’’）３１５２’と、ＥＮ（Ｘ’’）３１５４’と、を含む。
【０１７１】
システム３１００は、ネットワークリンク３１６２、３１６４をそれぞれ通じてＢＳ  Ｉ  ３１０６及びＢＳ  Ｍ  ３１０８に結合されるネットワークノード３１６０も含む。ネットワークノード３１６０は、ネットワークリンク３１６６を通じてその他のネットワークノード、例えばその他の基地局、ＡＡＡサーバーノード、中間ノード、ルーター、等、及びインターネットにも結合される。ネットワークリンク３１６２、３１６４、３１６６は、例えば光ファイバケーブルであることができる。各エンドノード、例えばＥＮ（１）３１３６は、送信機及び受信機を含む無線端末であることができる。無線端末、例えばＥＮ（１）３１３６、は、システム３１００を通じて移動することができ、ＥＮが現在所在するセル内の基地局と無線リンクを通じて通信することができる。無線端末、（ＷＴ）、例えばＥＮ（１）３１３６、は、ピアノード、例えばシステム３１００内又はシステム３１００外のその他のＷＴ、と、基地局、例えばＢＳ３１０６、及び／又はネットワークノード３１６０を通じて通信することができる。ＷＴ、例えばＥＮ（１）３１３６、は、無線モデムを有する移動通信デバイス、例えば携帯電話、パーソナルデータアシスタント、等であることができる。各々の基地局は、残りのシンボル期間、例えば非ストリップーシンボル期間、においてトーンを割り当て、トーンホッピングを決定するために採用された方法とは異なる、ストリップーシンボル期間に関する方法を用いてトーン部分組割り当てを行う。無線端末は、トーン部分組割り当て方法を基地局から受信された情報、例えば基地局スロープＩＤ、セクターＩＤ情報、とともに用いて、特定のストリップーシンボル期間にデータ及び情報を受信するために採用可能なトーンを決定する。トーン部分組割り当てシーケンスは、様々な側面により、セクター間及びセル間干渉を各々のトーン間で拡散させるように構築される。
【０１７２】
図３２は、様々な側面による基地局例３２００を示す。基地局３２００は、トーン部分組割り当てシーケンスを実装し、セルの各々の異なるセクター型に関して異なるトーン部分組割り当てシーケンスが生成される。基地局３２００は、図３１のシステム３１００の基地局８０６、８０８、のうちのいずれかとして用いることができる。基地局３２００は、様々な要素３２０２、３２０４、３２０６、３２０８、及び３２１０がデータ及び情報を交換することができるバス３２０９によってひとつに結合された受信機３０２０と、送信機３２０４と、プロセッサ３２０６、例えばＣＰＵ、と、入力／出力インタフェース３２０８と、メモリ３２１０と、を含む。
【０１７３】
受信機３２０２に結合されたセクター化されたアンテナ３２０３は、基地局のセル内の各セクターからの無線端末送信からデータ及びその他の信号、例えばチャネルレポート、を受信するために用いられる。送信機３２０４に結合されたセクター化されたアンテナ３２０５は、データ及びその他の信号、例えば制御信号、パイロット信号、ビーコン信号、等を基地局のセルの各セクター内の無線端末３３００（図３３参照）に送信するために用いられる。様々な側面においては、基地局３２００は、複数の受信機３２０２及び複数の送信機３２０４、例えば各セクターに関する個々の受信機３２０２及び各セクターに関する個々の送信機３２０４を採用することができる。プロセッサ３２０６は、汎用中央処理装置（ＣＰＵ）であることができる。プロセッサ３２０６は、メモリ３２１０に格納された１つ以上のルーチン３２１８の指示の下で基地局３２００の動作を制御し、方法を実装する。Ｉ／Ｏインタフェース３２０８は、その他のネットワークノードへの接続を提供し、ＢＳ３２００をその他の基地局、アクセスルーター、ＡＡＡサーバーノード、等、その他のネットワーク、及びインターネットに結合する。メモリ３２１０は、ルーチン３２１８と、データ／情報３２２０と、を含む。
【０１７４】
データ／情報３２２０は、データ３２３６と、ダウンリンクストリップ−シンボル時間情報３４２０及びダウンリンクトーン情報３２４２を含むトーン部分組割り当てシーケンス情報３２３８と、複数の組のＷＴ情報、すなわち、ＷＴ１情報３２４６及びＷＴ  Ｎ情報３２６０、を含む無線端末（ＷＴ）データ／情報３２４４と、を含む。各組のＷＴ情報、例えばＷＴ１情報３２４６、は、データ３２４８と、端末ＩＤ  ３２５０と、セクターＩＤ  ３２５２と、アップリンクチャネル情報３２５４と、ダウンリンクチャネル情報３２５６と、モード情報３２５８と、を含む。
【０１７５】
ルーチン３２１８は、通信ルーチン３２２２と、基地局制御ルーチン３２２４と、結合ルーチン３２６２と、を含む。基地局制御ルーチン３２２４は、スケジューラモジュール３２２６と、ストリップ−シンボル期間に関するトーン部分組割り当てルーチン３２３０を含むシグナリングルーチン３２２８と、シンボル期間の残り、例えば非ストリップ−シンボル期間、に関するその他のダウンリンクトーン割り当てホッピングルーチン３２３２と、ビーコンルーチン３２３４と、を含む。結合ルーチン３２６２は、情報結合ルーチン（示されていない）、値結合ルーチン（示されていない）及び／又はフローストリーム結合ルーチン（示されていない）をさらに含むことができる。
【０１７６】
データ３２３６は、ＷＴへの送信前に符号化するために送信機３２０４の符号器３２１４に送信される送信対象データと、受信後に受信機３２０２の復号器３２１２を通じて処理されているＷＴからの受信データと、を含む。ダウンリンクストリップ−シンボル時間情報３２４０は、フレーム同期化構造情報、例えばスーパースロット、ビーコンスロット、及びウルトラスロット構造情報、及び所定のシンボル期間がストリップ−シンボル期間であるかどうか、及びストリップ−シンボル期間である場合はストリップ−シンボル期間のインデックス及びストリップ−シンボルが基地局によって用いられるトーン部分組割り当てシーケンスを打ち切るためのリセットポイントであるかどうかを明記する情報を含む。ダウンリンクトーン情報３２４２は、基地局３２００に割り当てられる搬送周波数と、トーンの数及び周波数と、ストリップ−シンボル期間に割り当てられるトーン部分組の組と、その他のセル及びセクター特有の値、例えばスロープ、スロープインデックス及びセクター型と、を含む情報を含む。
【０１７７】
データ３２４８は、ＷＴ１  ３３００がピアノードから受信しているデータと、ＷＴ１  ３３００がピアノードに送信されることを希望するデータと、ダウンリンクチャネル品質レポートフィードバック情報と、を含むことができる。端末ＩＤ３２５０は、基地局３２００によって割り当てられた、ＷＴ１  ３３００を識別するＩＤである。セクターＩＤ３２５２は、ＷＴ１  ３３００が動作中であるセクターを識別する情報を含む。セクターＩＤ３２５２は、例えば、セクター型を決定するために用いることができる。アップリンクチャネル情報３２５４は、ＷＴ１  ３３００が用いるためにスケジューラ３２２６によって割り当てられているチャネルセグメント、例えばデータに関するアップリンクトラフィックチャネルセグメント、要求、電力制御、タイミング制御、等に関する専用アップリンク制御チャネル、を識別する情報を含む。ＷＴ１  ３３００に割り当てられた各アップリンクチャネルは、１つ以上の論理トーンを含み、各論理トーンは、アップリンクホッピングシーケンスに従う。ダウンリンクチャネル情報３２５６は、データ及び／又は情報をＷＴ１  ３３００に搬送するためにスケジューラ３２２６によって割り当てられているチャネルセグメント、例えばユーザーデータに関するダウンリンクトラフィックチャネルセグメント、を識別する情報を含む。ＷＴ１  ３３００に割り当てられた各ダウンリンクチャネルは、１つ以上の論理トーンを含み、各論理トーンは、ダウンリンクホッピングシーケンスに従う。モード情報３２５８は、ＷＴ１  ３３００の動作状態、例えばスリープ、ホールド、オン、を識別する情報を含む。
【０１７８】
通信ルーチン３２２２は、基地局３２００が様々な通信動作を実行し、様々な通信プロトコルを実装するように制御する。基地局制御ルーチン３２２４は、基地局３２００が基地局の基本的な機能上のタスク、例えば、信号の生成と受信、スケジューリング、を実行し、ストリップ−シンボル期間中にトーン部分組割り当てシーケンスを用いて無線端末に信号を送信することを含む幾つかの側面の方法のステップを実装するように制御するために用いられる。
【０１７９】
シグナリングルーチン３２２８は、復号器３２１２を有する受信機３２０２及び符号器３２１４を有する送信機３２０４の動作を制御する。シグナリングルーチン３２２８は、送信されたデータ３２３６及び制御情報の生成を制御する責任を有する。トーン部分組割り当てルーチン３２３０は、ストリップ−シンボル期間において用いられるトーン部分組を、側面の方法を用いて及びダウンリンクストリップ−シンボル時間情報３２４０とセクターＩＤ３２５２とを含むデータ／情報３２２０を用いて構築する。ダウンリンクトーン部分組割り当てシーケンスは、セル内の各セクター型に関して異なり、隣接するセルに関して異なる。ＷＴ３３００は、ダウンリンクトーン部分組割り当てシーケンスに従ってストリップ−シンボル期間に信号を受信する。基地局３２００は、送信された信号を生成するために同じダウンリンクトーン部分組割り当てシーケンスを用いる。その他のダウンリンクトーン割り当てホッピングルーチン３２３２は、ストリップ−シンボル期間以外のシンボル期間の間、ダウンリンクトーン情報３２４２とダウンリンクチャネル情報３２５６とを含む情報を用いてダウンリンクトーンホッピングシーケンスを構築する。ダウンリンクデータトーンホッピングシーケンスは、セルのセクター全体に関して同期化される。ビーコンルーチン３２３４は、同期化を目的として、例えばダウンリンク信号のフレームタイミング構造、従ってウルトラスロット境界に関するトーン部分組割り当てシーケンスを同期化するために、用いることができるビーコン信号、例えば１つ又は幾つかのトーンに集中された相対的に高い電力の信号の信号、の送信を制御する。
【０１８０】
結合ルーチン３２６２は、情報結合ルーチン（示されていない）、値結合ルーチン（示されていない）及び／又はフローストリーム結合ルーチン（示されていない）をさらに含むことができる。例えば、情報結合ルーチンは、予め決められた方法で少なくとも２つのサブグループからサブグループを選択し、サブグループの選択から独立したビーコン信号を送信する自由度を選択し、選択されたサブグループ及び選択された自由度内において高エネルギーレベルで少なくとも２つの部分組の情報を送信するためのルーチンを含むことができる。選択された自由度は、選択されたサブグループの関数であることができる。
【０１８１】
他の例においては、値結合ルーチンは、第１の情報ストリーム及び第２の情報ストリームに独立した値を割り当てることと、単一の高レベルビーコン信号における送信のために独立した値を結合すること、とを含むことができる。独立した値は、選択的にコーディング及び復号することができる。ストリーム結合ルーチンは、周波数単位及び時間単位を具備するブロックを第１の情報ストリーム及び少なくとも第２の情報ストリームに分割すること、第１の情報ストリーム及び少なくとも第２の情報ストリームを結合すること、及び周波数と時間の選択された部分中に結合された情報ストリームを送信することに関連することができる。これらのストリームは、周波数と時間の選択された部分を表すことができる。
【０１８２】
図３３は、図８に示されるシステム８００の無線端末（例えば、エンドノード、モバイルデバイス、等）、のうちのいずれか１つ、例えばＥＮ（１）８３６、として用いることができる無線端末例（例えば、エンドノード、モバイルデバイス、等）３３００を示す。無線端末３３００は、トーン部分組割り当てシーケンスを実装する。無線端末３３００は、様々な要素３３０２、３３０４、３３０６、３３０８がデータ及び情報を交換することができるバス３３１０によってひとつに結合された復号器３３１２を含む受信機３３０２と、符号器３３１４を含む送信機３３０４と、プロセッサ３３０６と、メモリ３３０８と、を含む。基地局３２００（及び／又は別個の無線端末）から信号を受信するために用いられるアンテナ３３０３が、受信機３３０２に結合される。例えば基地局３２００（及び／又は別個の無線端末）に信号を送信するために用いられるアンテナ３３０５が、送信機３３０４に結合される。
【０１８３】
プロセッサ３３０６（例えば、ＣＰＵ）は、メモリ３３０８内のルーチン３３２０を実行し、データ／情報３３２２を用いて無線端末３３００の動作を制御し、方法を実装する。
【０１８４】
データ／情報３３２２は、ユーザーデータ３３３４と、ユーザー情報３３３６と、トーン部分組割り当てシーケンス情報３３５０と、を含む。ユーザーデータ３３３４は、ピアノードを対象とし、送信機３３０４による基地局３２００への送信前に符号化するために符号器３３１４にルーティングされるデータと、受信機３３０２内の復号器３３１２によって処理されている基地局３２００から受信されたデータと、を含むことができる。ユーザー情報３３３６は、アップリンクチャネル情報３３３８と、ダウンリンクチャネル情報３３４０と、端末ＩＤ情報３３４２と、基地局ＩＤ情報３３４４と、セクターＩＤ情報３３４６と、モード情報３３４８と、を含む。アップリンクチャネル情報３３３８は、基地局３２００への送信時に無線端末３３００が使用するために基地局３２００によって割り当てられているアップリンクチャネルセグメントを識別する情報を含む。アップリンクチャネルは、アップリンクトラフィックチャネルと、専用アップリンク制御チャネル、例えば要求チャネルと、電力制御チャネルと、タイミング制御チャネルと、を含むことができる。各アップリンクチャネルは、１つ以上の論理トーンを含み、各論理トーンは、アップリンクトーンホッピングシーケンスに後続する。アップリンクホッピングシーケンスは、セルの各セクター型間で及び隣接するセル間で異なる。ダウンリンクチャネル情報３３４０は、ＢＳ３２００がデータ／情報をＷＴ３３００に送信しているときに用いるために基地局３２００によってＷＴ３３００に割り当てられているダウンリンクチャネルセグメントを識別する情報を含む。ダウンリンクチャネルは、ダウンリンクトラフィックチャネルと、割り当てチャネルと、を含むことができ、各ダウンリンクチャネルは、１つ以上の論理トーンを含み、各論理トーンは、セルの各セクター間で同期化されるダウンリンクホッピングシーケンスに後続する。
【０１８５】
ユーザー情報３３３６は、基地局３２００によって割り当てられた識別である端末ＩＤ情報３３４２と、ＷＴが通信を確立している特定の基地局３２００を識別する基地局ＩＤ情報３３４４と、ＷＴ３３００が現在所在するセルの特定のセクターを識別するセクターＩＤ情報３３４６と、を含む。基地局ＩＤ３３４４は、セルスロープ値を提供し、セクターＩＤ情報３３４６は、セクターインデックス型を提供し、セルスロープ値及びセクターインデックス型は、トーンホッピングシーケンスを導き出すために用いることができる。同じくユーザー情報３３３６に含まれるモード情報３３４８は、ＷＴ３３００がスリープモード、ホールドモード、又はオンモードのいずれにあるかを識別する。
【０１８６】
トーン部分組割り当てシーケンス情報３３５０は、ダウンリンクストリップ−シンボル時間情報３３５２と、ダウンリンクトーン情報３３５４と、を含む。ダウンリンクストリップ−シンボル時間情報３３５２は、フレーム同期化構造情報、例えば、スーパースロット、ビーコンスロット及びウルトラスロット構造情報、及び所定のシンボル期間がストリップ−シンボル期間であるかどうか、及びストリップ−シンボル期間である場合はストリップ−シンボル期間のインデックス及びストリップ−シンボルが基地局によって用いられるトーン部分組割り当てシーケンスを打ち切るためのリセットポイントであるかどうかを明記する情報を含む。ダウンリンクトーン情報３３５４は、基地局３２００に割り当てられた搬送周波数と、トーンの数及び周波数と、ストリップ−シンボル期間に割り当てられるトーン部分組の組と、その他のセル及びセクター特有の値、例えばスロープ、スロープインデックス及びセクター型と、を含む情報を含む。
【０１８７】
ルーチン３３２０は、通信ルーチン３３２４と、無線端末制御ルーチン３３２６と、同期化ルーチン３３２８と、ページングメッセージ生成／ブロードキャストルーチン３３３０と、ページングメッセージ検出ルーチン３３３２と、を含む。通信ルーチン３３２４は、ＷＴ３３００によって用いられる様々な通信プロトコルを制御する。例えば、通信ルーチン３３２４は、ワイドエリアネットワークを介しての（例えば基地局３２００との）通信及び／又はローカルエリアピア・ツー・ピアネットワークを介しての（例えば、別個の無線端末との直接的な）通信を可能にすることができる。さらなる例により、通信ルーチン３３２４は、（例えば基地局３２００からの）ブロードキャスト信号を受信するのを可能にすることができる。無線端末制御ルーチン３３２６は、受信機３３０２及び送信機３３０４の制御を含む無線端末３３００の基本的な機能を制御する。同期化ルーチン３３２８は、（例えば、基地局３２００からの）受信信号に合わせて無線端末３３００を同期化することを制御する。ピア・ツー・ピアネットワーク内のピアも前記信号に合わせて同期化することができる。例えば、受信信号は、ビーコン、ＰＮ（疑似ランダム）シーケンス信号、パイロット信号、等であることができる。さらに、信号は、周期的に入手することができ、同じくピアに知られている（同期化ルーチン３３２８と関連づけられた）プロトコルを利用して別個の機能（例えば、ピアの発見、ページング、トラフィック）に対応する間隔を識別することができる。ページングメッセージ生成／ブロードキャストルーチン３３３０は、識別されたピアページング間隔中に送信用のメッセージを生成することを制御する。メッセージと関連づけられたシンボル及び／又はトーンは、（例えば、ページングメッセージ生成／ブロードキャストルーチン３３３０と関連づけられた）プロトコルに基づいて選択することができる。さらに、ページングメッセージ生成／ブロードキャストルーチン３３３０は、ピア・ツー・ピアネットワーク内のピアにメッセージを送信するのを制御することができる。ページングメッセージ検出ルーチン３３３２は、識別されたピアページング間隔中に受信されたメッセージに基づいてピアの検出及び識別を制御する。さらに、ページングメッセージ検出ルーチン３３３２は、ピアリスト３３５６に保持される情報に少なくとも部分的に基づいてピアを識別することができる。
【０１８８】
ルーチン３３２０は、通信ルーチン３３２４と、無線端末制御ルーチン３３２６と、を含む。通信ルーチン３３２４は、ＷＴ３３００によって用いられる様々な通信プロトコルを制御する。一例として、通信ルーチン３３２４は、（例えば、基地局３２００からの）ブロードキャスト信号を受信するのを可能にすることができる。無線端末制御ルーチン３３２６は、受信機３３０２及び送信機３３０４の制御を含む無線端末３３００の基本的機能を制御する。
【０１８９】
ルーチンは、情報復号ルーチン、値復号ルーチン及び／又はストリーム復号ルーチン（示されていない）を含むことができる復号ルーチン１０２８を含むこともできる。例えば、情報復号ルーチンは、サブグループ及び自由度内において高エネルギーレベルで第１の及び少なくとも第２の部分組の情報を受信することと、受信されたサブグループに部分的に基づいて第１の部分組の情報を復号することと、自由度に部分的に基づいて少なくとも第２の部分組の情報を復号すること、とを含むことができる。
【０１９０】
他の例においては、値復号ルーチンは、２つの独立した値の組合せを含むビーコン信号を受信することと、前記組合せから第１の独立した値を復号して第１の情報ストリームを入手することと、前記組合せから第２の独立した値を復号して第２の情報ストリームを入手すること、とを含むことができる。ストリーム復号ルーチンは、一部分の周波数及び一部分の時間中に情報ストリームの結合を受信することと、情報ストリームの前記結合を第１の情報ストリーム及び少なくとも第２の情報ストリームに分割することと、第１の情報ストリーム及び第２の情報ストリームを復号して対応する周波数単位及び時間単位にすること、とを含むことができる。
【０１９１】
図３４に関して、無線通信環境におけるビーコン信号内の少なくとも２つの部分組の情報の独立したコーディングを可能にするシステム３４００が示される。例えば、システム３４００は、基地局内に少なくとも部分的に常駐することができる。システム３４００は、プロセッサ、ソフトウェア、又はその組合せ（例えばファームウェア）によって実装される機能を表す機能ブロックであることができる機能ブロックを含むものとして表されることが理解されるべきである。
【０１９２】
システム３４００は、連動して動作することができる電気的構成要素から成る論理グループ３４０２を含む。例えば、論理グループ３４０２は、ブロードキャスト情報ビットの第１及び第２の部分組３４０４を多数のブロードキャスト情報ビットから生成するための電気的構成要素を含むことができる。さらに、論理グループ３４０２は、一組の帯域幅自由度を少なくとも２つの部分組３４０６に分割するための電気的構成要素を具備することができる。１つの例示により、２つのグループは、隣接するトーン−シンボルブロックであることができ又は各トーン−シンボルブロックは、互いに遠隔であることができる。さらに、２つの帯域幅部分組間には、幾つかの使用されないトーン−シンボルが存在することができる。
【０１９３】
論理グループ３４０２は、少なくとも２つの部分組３４０８のうちの１つの部分組を第１の部分組のブロードキャスト情報の関数として独立して選択するための電気的構成要素をさらに具備することができる。さらに、選択された部分組３４１０において帯域幅自由度のうちの１つ以上を独立して選択するための電気的構成要素を含むこともできる。帯域幅自由度を選択することは、第２の部分組のブロードキャスト情報の関数であることができる。電気的構成要素３４０８及び３４１０は、互いに独立して動作するため、１つの部分組の情報の変更は、その他の部分組の情報に対して影響を及ぼさない。論理グループ３４０２は、少なくとも１つの帯域幅自由度３４１２において選択的に情報を送信するための電気的構成要素をさらに具備することができる。情報は、無線システムの基本構成に関連させることができる。第２の部分組の情報は、ハンドオフに関連させることができる。部分組の情報は、その他の選択されないトーン−シンボル及び／又はグループと比較して高いエネルギーで送信することができる。
【０１９４】
幾つかの側面により、電気的グループ３４０２は、帯域幅自由度の組内の各々の選択されない自由度において用いられる平均送信電力よりも少なくとも１０ｄＢ高い各々の選択された帯域幅自由度内の電力でビーコン信号を送信するための電気的構成要素を含むことができる。
【０１９５】
さらに、システム３４００は、電気的構成要素３４０４、３４０６、３４０８、３４１０及び３４１２と関連づけられた機能を実行するための命令を保持するメモリ３４１４を含むことができる。電気的構成要素３４０４、３４０６、３４０８、３４１０及び３４１２は、メモリ３４１４の外部の電気的構成要素として示されている一方で、該電気的構成要素のうちの１つ以上がメモリ３４１４内に存在できることが理解されるべきである。
【０１９６】
図３５に関して、波形を表す２つの独立した情報ストリームを送信するのを容易にするシステム３５００が示される。システム３５００は、基地局内に少なくとも部分的に常駐することができる。システム３５００は、プロセッサ、ソフトウェア、又はその組合せ（例えばファームウェア）によって実装される機能を表す機能ブロックであることができる機能ブロックを含むものとして表されることが理解されるべきである。
【０１９７】
システム３５００は、連動して動作することができる電気的構成要素から成る論理グループ３５０２を含む。論理グループ３５０２は、第１の情報ストリーム及び第２の情報ストリームに独立した値を割り当てるための電気的構成要素３５０４を含むことができる。これらの値は、情報ストリームのうちの１つの変更が他方の情報ストリームに対して影響を及ぼさないように独立した値として割り当てられる。さらに、論理グループ３５０２には、独立した値を結合して合成値を生成するための電気的構成要素３５０６も含まれる。さらに、論理グループ３５０２は、合成値の関数である波形を出力するための電気的構成要素３５０８を具備することができる。電気的構成要素３５０８は、生成された波形のマッピングを出力するのと実質的に同時にその他の信号を出力することができる。波形は、高エネルギービーコン信号を含むことができる。波形３５０８を出力するための電気的構成要素は、実質的に同時に送信されるその他の信号の送信電力よりも少なくとも１０ｄＢ高い１つの自由度当たりのビーコン信号の送信電力を提供することができる。
【０１９８】
幾つかの側面により、論理グループ３５０２は、第２の情報ストリームの周期性と異なる周期性を第１の情報ストリームに割り当てるための電気的構成要素を具備することができる（示されていない）。すなわち、各々の異なる情報ストリームは、他方の情報ストリームに影響を与えずに同様の時点又は異なる時点において繰り返すことができる。さらに加えて又は代替として、論理グループ３５０２は、第２の情報ストリームを｛Ｙｉ｝ビットのシーケンスとして表すための電気的構成要素を含むことができる（示されていない）。独立した情報ストリーム値を結合するための手段３５０６は、式Ｚｉ＝｛Ｘｉ｝＊Ｑ＋｛Ｙｉ｝を利用することができ、ここで、Ｑは、第１の情報ストリームの最大値である。選択されたブロードキャストメッセージブロックは、｛Ｘｉ｝によって示すことができ、｛Ｙｉ｝は、選択されたブロック内における所在場所を示す。Ｚｉによって占められるスペースは、｛Ｘｉ｝によって占められるスペース及び｛Ｙｉ｝によって占められるスペースよりも大きいことができる。
【０１９９】
さらに、システム３５００は、電気的構成要素３５０４、３５０６、及び３５０８と関連づけられた機能を実行するための命令を保持することができるメモリ３５１０を含むことができる。電気的構成要素３５０４、３５０６、及び３５０８は、メモリ３５１０の外部の電気的構成要素として示されている一方で、該電気的構成要素のうちの１つ以上がメモリ３５１０内に存在できることが理解されるべきである。
【０２００】
図３６に関して、無線通信環境における一組の時間シンボル内の一組のトーンを用いた情報の送信を容易にするシステム３６００が示される。システム３６００は、基地局内に少なくとも部分的に常駐することができる。システム３６００は、プロセッサ、ソフトウェア、又はその組合せ（例えばファームウェア）によって実装される機能を表す機能ブロックであることができる機能ブロックを含むものとして表されることが理解されるべきである。システム３６００は、連動して動作することができる電気的構成要素の論理グループ３６０２を含む。論理グループ３６０２は、ブロック３６０４を選択するための電気的構成要素を含むことができる。ブロックは、一組の周波数トーンと、一組の時間シンボルと、を含むことができる。
【０２０１】
論理グループには、ブロックを第１の情報ストリームの関数として２つ以上のサブグループに分離するための電気的構成要素３６０６と、２つ以上のサブグループの各々を第２の情報ストリームの関数としてミクロブロックにセグメンテーションするための電気的構成要素３６０８と、を含むこともできる。ブロックを分離すること及びサブグループをセグメンテーションすることは、予め決められた方法で行うことができる。ミクロブロックの各々は、１つの時間シンボルにおいて１つ以上の周波数トーンを含むことができる。第１の情報ストリーム及び第２の情報ストリームは、周波数トーン及び時間シンボルを含むブロックの一部分であることができる。周波数部分及び時間部分の変更は、互いに影響を及ぼさず、従って、互いに排他的であることができる。すなわち、第１の情報ストリームの変更は、第２の情報ストリームには影響を及ぼさない。論理グループ３６０２は、情報を高エネルギービーコンとして送信するミクロブロックを選択するための手段を含むこともできる。ミクロブロックは、互いに隣接すること、互いに離れていることができ、及び等しい間隔でないことができる。
【０２０２】
さらに、論理グループ３６０２は、第１の情報ストリームを表すサブブロックにブロックを分割するための電気的構成要素を含むことができる（示されていない）。論理グループ３６０２には、第２の情報ストリームを表す自由度にサブブロックをパーティショニングするための電気的構成要素（示されていない）及び／又はブロックを予め決められた方法で第１の情報ストリーム及び第２の情報ストリームにパーティショニングするための電気的構成要素を含めることもできる。
【０２０３】
さらに、システム３６００は、電気的構成要素３６０４、３６０６、３６０８及び３６１０と関連づけられた機能を実行するための命令を保持するメモリ３６１２を含むことができる。電気的構成要素３６０４、３６０６、３６０８及び３６１０は、メモリ３６１２の外部の電気的構成要素として示されている一方で、該電気的構成要素のうちの１つ以上がメモリ３６１２内に存在できることが理解されるべきである。
【０２０４】
図３７に関して、無線通信環境におけるビーコン信号で受信された情報の独立した復号を可能にするシステム３７００が示される。例えば、システム３７００は、モバイルデバイス内に少なくとも部分的に常駐することができる。システム３７００は、プロセッサ、ソフトウェア、又はその組合せ（例えばファームウェア）によって実装される機能を表す機能ブロックであることができる機能ブロックを含むものとして表されることが理解されるべきである。
【０２０５】
システム３７００は、連動して動作することができる電気的構成要素から成る論理グループ３７０２を含む。例えば、論理グループ３７０２は、情報の少なくとも１つの帯域幅自由度において選択的に情報を受信するための電気的構成要素３７０４を含むことができる。１つの例示により、情報は、基本構成に関連させることができ、第２の部分組の情報は、ハンドオフに関連させることができる。電気的構成要素３７０４は、その他の受信されたビーコン信号と比較して高いエネルギーで受信されたビーコン信号をさらに区別することができる。さらに、論理グループ３７０２には、いずれの帯域幅自由度が受信されたかを決定するための電気的構成要素３７０６と、少なくとも２つの部分組からのいずれの部分組が１つ以上の帯域幅自由度を含んでいたかを決定するための電気的構成要素３７０８と、を含むこともできる。
【０２０６】
さらに、論理グループ３７０２は、２つ以上の部分組を結合して一組の帯域幅自由度にするための電気的構成要素３７１０を含むことができる。さらに、第１の部分組のブロードキャスト情報ビット及び第２の部分組のブロードキャスト情報ビットからのブロードキャスト情報ビットを復号するための電気的構成要素３７１２も含まれる。
【０２０７】
幾つかの側面により、システム３７００は、帯域幅自由度の組内の各々の選択されない自由度において用いられる平均送信電力よりも少なくとも１０ｄＢ高い各々の選択された帯域幅自由度における電力でビーコン信号を受信するための論理的構成要素を含むことができる。システム３７００は、ビーコン信号がいずれのサブグループにおいて受信されたかを第１の部分組情報に部分的に基づいて決定するための電気的構成要素を含むこともできる（示されていない）。さらに、ビーコン信号がいずれの自由度において受信されたかを少なくとも第２の部分組の情報に部分的に基づいて確認するための電気的構成要素を含むこともできる。
【０２０８】
さらに、システム３７００は、電気的構成要素３７０４、３７０６、３７０８、３７１０及び３７１２と関連づけられた機能を実行するための命令を保持するメモリ３７１４を含むことができる。電気的構成要素３７０４、３７０６、３７０８、３７１０及び３７１２は、メモリ３７１４の外部の電気的構成要素として示されている一方で、該電気的構成要素のうちの１つ以上がメモリ３７１４内に存在できることが理解されるべきである。
【０２０９】
図３８に関して、無線通信環境において波形を表す２つの独立した情報ストリームを解読することを可能にするシステム３８００が示される。例えば、システム３８００は、モバイルデバイス内に少なくとも部分的に常駐することができる。システム３８００は、プロセッサ、ソフトウェア、又はその組合せ（例えばファームウェア）によって実装される機能を表す機能ブロックであることができる機能ブロックを含むものとして表されることが理解されるべきである。
【０２１０】
システム３８００は、連動して動作することができる電気的構成要素から成る論理グループ３８０２を含む。例えば、論理グループ３８０２は、高エネルギービーコン信号を含む波形を受信するための電気的構成要素３８０４を含むことができる。高エネルギービーコン信号は、その他の信号と実質的に同時に受信することができる。論理グループ３８０２は、波形を独立した情報ストリーム値に分割するための電気的構成要素３８０６と、独立した情報ストリーム値からの第１の情報ストリームの第１の値及び第２の情報ストリームの第２の値を解読するための電気的構成要素３８０８と、も含むことができる。
【０２１１】
幾つかの側面により、論理グループ３８０２は、第２の値の周期性と異なる第１の値の周期性を解釈するための電気的構成要素を含むことができる（示されていない）。さらに加えて又は代替として、論理グループ３８０２は、第１の情報ストリームを｛ｂｉ｝に含まれる信号｛Ｘｉ｝として解読するための電気的構成要素と、第２の情報ストリームを｛ｃｉ｝に含まれる｛Ｙｉ｝のシーケンスとして解読するための電気的モジュールと、を含むことができ、ここで、｛Ｙｉ｝は、単一のビットを表す（示されていない）。選択されたブロードキャストメッセージブロックは、｛Ｘｉ｝によって示すことができ、｛Ｙｉ｝は、選択されたブロック内における所在場所を示す。
【０２１２】
さらに、システム３８００は、電気的構成要素３８０４、３８０６、及び３８０８と関連づけられた機能を実行するための命令を保持するメモリ３８１０を含むことができる。電気的構成要素３８０４、３８０６、及び３８０８は、メモリ３８１０の外部の電気的構成要素として示されている一方で、該電気的構成要素のうちの１つ以上がメモリ３８１０内に存在できることが理解されるべきである。
【０２１３】
図３９に関して、無線通信環境内において周波数部分及び時間部分中に情報を受信するシステム３９００が示される。例えば、システム３９００は、モバイルデバイス内に少なくても部分的に常駐することができる。システム３９００は、プロセッサ、ソフトウェア、又はその組合せ（例えばファームウェア）によって実装される機能を表す機能ブロックであることができる機能ブロックを含むものとして表されることが理解されるべきである。システム３９００は、連動して動作することができる電気的構成要素から成る論理グループ３９０２を含む。
【０２１４】
例えば、論理グループ３９０２は、高エネルギービーコンを受信するための電気的構成要素３９０４を含むことができる。高エネルギービーコンは、１つの時間シンボルにおける少なくとも１つの周波数トーンを含むミクロブロックを表す。さらに、ミクロブロックが選択されたサブグループを決定するための電気的構成要素３９０６も含むことができる。サブグループは、部分組の時間シンボルにおける部分組の周波数トーンを含むことができる。さらに、高エネルギービーコンに含まれる情報を解析してサブグループが選択されたブロックを決定するための電気的構成要素３９０８を含むこともできる。ブロックは、一組の時間シンボル内における一組の周波数トーンを含むことができる。高エネルギービーコンは、第１の情報ストリーム及び第２の情報ストリームの結合を具備することができる。サブグループは、第１の情報ストリームの関数として選択しておくことが可能であり、ミクロブロックは、第２の情報ストリームの関数として選択しておくことが可能である。周波数部分及び時間部分の変更は、互いに影響を及ぼさない。
【０２１５】
幾つかの側面により、論理グループは、式Ｘ^ｉ＝ｆｌｏｏｒ（Ｚｉ／Ｌ）を利用して第１の情報ストリームを解析するための電気的構成要素を含むことができる（示されていない）。さらに、式Ｙ^ｉ＝ｍｏｄ（Ｚｉ，Ｌ）を利用して第２の情報ストリームを解析するための電気的構成要素を含むこともできる（示されていない）。
【０２１６】
さらに、システム３９００は、電気的構成要素３９０４、３９０６、及び３９０８と関連づけられた機能を実行するための命令を保持するメモリ３９１０を含むことができる。電気的構成要素３９０４、３９０６、及び３９０８は、メモリ３９１０の外部の電気的構成要素として示されている一方で、該構成要素のうちの１つ以上がメモリ３９１０内に存在できることが理解されるべきである。
【０２１７】
図４０は、ブロードキャスト情報ビットのサブシーケンスを含むブロードキャスト信号の送信を可能にするシステムを示す。例えば、システム４０００は、基地局内に少なくとも部分的に常駐することができる。システム４０００は、プロセッサ、ソフトウェア、又はその組合せ（例えばファームウェア）によって実装される機能を表す機能ブロックであることができる機能ブロックを含むものとして表されることが理解されるべきである。
【０２１８】
システム４０００は、連動して動作することができる電気的構成要素から成る論理グループ４００２を含む。論理グループ４００２は、ブロードキャスト情報ビットのサブシーケンスを確立するための電気的構成要素４００４を含むことができる。サブシーケンスは、１つ以上の非同期メッセージ及び／又は１つ以上の同期メッセージを含むことができる。非同期メッセージには非同期メッセージの定義を示すためのメッセージヘッダーを含めることができる。同期メッセージの定義は、ブロードキャスト信号内における同期メッセージの位置の関数であることができる。
【０２１９】
論理グループ４００２は、サブシーケンスの位置構造を定義するための電気的構成要素４００６を含むこともできる。位置構造は、予め定義することができる。さらに、論理グループ４００２には、サブシーケンスの開始を示すための電気的構成要素４００８及びブロードキャスト信号を送信するための電気的構成要素４０１０であることができる。
【０２２０】
幾つかの側面により、システム４０００は、ブロードキャスト情報ビットの複数のサブシーケンスを定義するための電気的構成要素を含むこともできる。さらに、第１の情報ビットシーケンス内における複数のサブシーケンスの各々のサブシーケンスの所在場所を特定するための電気的構成要素及び／又はサブシーケンスの所在場所を指定するタイミング構造を構築するための電気的構成要素も含むことができる。さらに、ブロードキャスト信号内におけるタイミング構造を符号化するための電気的構成要素を含むこともできる。幾つかの側面により、論理グループは、ブロードキャスト信号に含まれる異なる同期メッセージに対して異なる周期性を割り当てるための電気的構成要素も含む。
【０２２１】
さらに、システム４０００は、電気的構成要素４００４、４００６、４００８及び４０１０と関連づけられた機能を実行するための命令を保持するメモリ４０１２を含むことができる。電気的構成要素４００４、４００６、４００８及び４０１０は、メモリ４０１２の外部の電気的構成要素として示されている一方で、該構成要素のうちの１つ以上がメモリ４０１２内に存在できることが理解されるべきである。
【０２２２】
図４１は、非同期及び／又は同期メッセージを含むブロードキャスト信号の解釈を可能にするシステム４１００を示す。システム４１００は、モバイルデバイス内に少なくとも部分的に常駐することができる。システム４１００は、プロセッサ、ソフトウェア、又はその組合せ（例えばファームウェア）によって実装される機能を表す機能ブロックであることができる機能ブロックを含むものとして表されることが理解されるべきである。
【０２２３】
システム４１００は、連動して動作することができる電気的構成要素から成る論理グループ４１０２を含む。論理グループ４１０２は、１つ以上のサブシーケンスのブロードキャスト情報ビットを含む信号を受信するための電気的構成要素４１０４を含むことができる。１つ以上のサブシーケンスは、１つ以上の非同期メッセージ、１つ以上の同期メッセージ又は非同期メッセージと同期メッセージの両方を含むことができる。２つ以上のサブシーケンスを異なる周期性で受信することができ、又は互いにインターリービングすることができる。
【０２２４】
論理グループ４１０２には、サブシーケンスのうちの少なくとも１つの位置を決定するための電気的構成要素４１０６及び決定された位置に部分的に基づいてサブシーケンスを解釈するための電気的構成要素４１０８であることができる。幾つかの側面により、システム４１００は、ブロードキャスト信号の幾つかの部分をひとつにまとめてヘッダー／本体／メッセージシーケンスを導き出すための電気的構成要素及び／又はメッセージフォーマットに部分的に基づいてメッセージの開始点及び終了点を決定するための電気的構成要素を含むこともできる。幾つかの側面により、システム４１００は、ブロードキャスト情報ビットの複数のサブシーケンスの各々に関する位置を示すタイミング構造を復号するための電気的構成要素を含むことができる。タイミング構造は、受信されたブロードキャスト信号に含めることができる。
【０２２５】
さらに、システム４１００は、電気的構成要素４１０４、４１０６及び４１０８と関連づけられた機能を実行するための命令を保持するメモリ４１１０を含むことができる。電気的構成要素４１０４、４１０６及び４１０８は、メモリ４１１０の外部の電気的構成要素として示されている一方で、該電気的構成要素のうちの１つ以上がメモリ４１１０内に存在できることが理解されるべきである。
【０２２６】
本明細書において説明される側面は、ハードウェア、ソフトウェア、ファームウェア、ミドルウェア、マイクロコード、又はそのいずれかの組合せ内において実装できることが理解されるべきである。ハードウェア内に実装する場合は、処理ユニットは、本明細書において説明される機能を果たすように設計された１つ以上の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、その他の電子ユニット、又はその組合せ内に実装することができる。
【０２２７】
側面が、ソフトウェア、ファームウェア、ミドルウェア、マイクロコード、プログラムコード又はコードセグメント内に実装されるときには、これらの側面は、記憶装置構成要素等の機械によって読み取り可能な媒体内に格納することができる。コードセグメントは、手順、関数、サブプログラム、プログラム、ルーチン、サブルーチン、モジュール、ソフトウェアパッケージ、クラス、又は、命令、データ構造、又はプログラムステートメントの組合せを表すことができる。コードセグメントは、情報、データ、引数、パラメータ、又はメモリ内容を渡す及び／又は受け取ることによって他のコードセグメント又はハードウェア回路と結合させることができる。情報、引数、パラメータ、データ、等は、メモリを共有する、メッセージを渡す、トークンを渡す、ネットワーク送信、等を含むあらゆる適切な手段を用いて渡す、転送する、又は送信することができる。
【０２２８】
ソフトウェア内に実装する場合は、本明細書において説明される技法は、本明細書において説明される機能を果たすモジュール（例えば、手順、関数、等）とともに実装することができる。ソフトウェアコードは、メモリユニットに格納してプロセッサによって実行することができる。メモリユニットは、プロセッサ内に又はプロセッサの外部に実装することができ、プロセッサの外部に実装する場合は、当業において知られる様々な手段で通信可能な形でプロセッサに結合させることが可能である。
【０２２９】
上述されていることは、１つ以上の側面の例を含む。当然のことであるが、上記の側面を説明することを目的として構成要素又は方法の考えられるあらゆる組み合わせを説明することは可能ではないが、様々な例のさらに数多くの組み合わせ及び置換が可能であることを当業者は認識することができる。従って、説明される側面は、添付された請求項の精神又は適用範囲内にあるあらゆる変更、修正及び変形を包含することが意図されている。さらに、発明を実施するための最良の形態又は請求項の範囲において“含む”という表現が用いられている限りにおいて、該表現は、“具備する”いう表現が請求項において移行語として採用されたときの解釈と同様の包含性を有することが意図されている。さらに、発明を実施するための最良の形態又は請求項のいずれにおいても、表現“又は”は、“非排他的な又は”であることが意味される。
以下に、本願出願の当初の特許請求の範囲に記載された発明を付記する。
［Ｃ１］
基地局を動作させる方法であって、
第１の情報ストリームに第１の値を割り当てることと、
第２の情報ストリームに第２の値を割り当てることと、
前記第１の情報ストリーム及び前記第２の情報ストリームを結合することと、
前記結合された情報ストリームから合成値を生成することと、
前記合成値の関数として波形を送信すること、とを具備する、方法。
［Ｃ２］
前記第１の情報ストリームは、第１の部分組のブロードキャスト情報を表し、前記第２の情報ストリームは、第２の部分組のブロードキャスト情報を表すＣ１に記載の方法。
［Ｃ３］
前記波形は、高エネルギービーコン信号を含み、１つの自由度当たりの前記ビーコン信号の送信電力は、前記基地局によって送信されるその他の信号の送信電力よりも少なくとも１０ｄＢ高いＣ１に記載の方法。
［Ｃ４］
前記波形は、小さい自由度を占めるＣ１に記載の方法。
［Ｃ５］
前記第１の情報ストリーム及び前記第２の情報ストリームを結合することは、式Ｚｉ＝｛Ｘｉ｝＊Ｑ＋｛Ｙｉ｝を利用することによって行われ、ここで、｛Ｙｉ｝は、前記第１の値を表し、｛Ｘｉ｝は、前記第２の値を表し、Ｑは、前記第１の情報ストリームの最大値を表すＣ１に記載の方法。
［Ｃ６］
第１の情報ストリームに第１の値を割り当てることは、
複数の情報ビット｛ｃｉ｝の各々をコーディングすることと、
ビット｛Ｙｉ｝のシーケンスを｛ｃｉ｝から決定することであって、｛Ｙｉ｝は単一のビットを表すこと、とをさらに具備するＣ１に記載の方法。
［Ｃ７］
第２の情報ストリームに第２の値を割り当てることは、
情報ビット｛ｂｉ｝をコーディングすることと、
｛ｂｉ｝から信号｛Ｘｉ｝を生成すること、とをさらに具備するＣ１に記載の方法。
［Ｃ８］
前記第１の値を第１の情報ストリームに割り当てることは、｛Ｙｉ｝ビットのシーケンスを決定することを具備し、前記第２の情報ストリームの前記第２の値を割り当てることは、信号｛Ｘｉ｝を生成することを具備するＣ１に記載の方法。
［Ｃ９］
前記信号｛Ｘｉ｝は、｛Ｙｉ｝ビットの前記シーケンスの周期性から独立している周期性を有するＣ８に記載の方法。
［Ｃ１０］
前記第１の値及び前記第２の値を結合することは、前記第１の情報ストリームのスペース及び前記第２の情報ストリームのスペースよりも大きいスペースを占めるブロードキャスト信号を生成するＣ１に記載の方法。
［Ｃ１１］
波形を表す２つの情報ストリームを生成する無線通信装置であって、
第１の情報ストリームに関する第１の値を決定すること、第２の情報ストリームに関する第２の値を決定すること、前記値を結合して合成値を生成すること及び前記合成値の関数として波形を送信することに関連する命令を保持するメモリと、
前記メモリに結合され、前記メモリ内に保持される前記命令を実行するように構成されたプロセッサと、を具備する、無線通信装置。
［Ｃ１２］
前記第１の値を決定することは、前記第２の値を決定することから独立して行われるＣ１１に記載の無線通信装置。
［Ｃ１３］
前記第２の値は、前記第１の値のタイミングシーケンスと異なる間隔で繰り返すことができるタイミングシーケンスを提供するＣ１１に記載の無線通信装置。
［Ｃ１４］
前記波形は、高エネルギービーコン信号を含み、１つの自由度当たりの前記ビーコン信号の送信電力は、その他の送信された信号の送信電力よりも少なくとも１０ｄＢ高いＣ１１に記載の無線通信装置。
［Ｃ１５］
前記メモリは、第１のコーディング方式｛ｂｉ｝から信号｛Ｘｉ｝を生成し、第２のコーディング方式｛ｃｉ｝から｛Ｙｉ｝ビットのシーケンスを生成するため命令をさらに保持し、｛Ｙｉ｝は、単一のビットを表すＣ１１に記載の無線通信装置。
［Ｃ１６］
前記メモリは、式Ｚｉ＝｛Ｘｉ｝＊Ｑ＋｛Ｙｉ｝を利用することによって値Ｚｉを生成するための命令をさらに保持し、ここで、｛Ｙｉ｝は、前記第１の値を表し、｛Ｘｉ｝は、前記第２の値を表し、Ｑは、前記第１の情報ストリームの最大値を表すＣ１１に記載の無線通信装置。
［Ｃ１７］
無線通信装置であって、
第１の情報ストリーム及び第２の情報ストリームに独立した値を割り当てるための手段と、
前記独立した値を結合して合成値を生成するための手段と、
前記合成値の関数である波形を出力するための手段であって、前記波形は、高エネルギービーコン信号を含む手段と、を具備する、無線通信装置。
［Ｃ１８］
前記第２の情報ストリームの周期性と異なる周期性を前記第１の情報ストリームに割り当てるための手段をさらに具備するＣ１７に記載の無線通信装置。
［Ｃ１９］
高エネルギービーコン信号を含む前記波形を出力するための前記手段は、実質的に同時に送信されたその他の信号の送信電力よりも少なくとも１０ｄＢ高い１つの自由度当たりの前記ビーコン信号の送信電力を提供するＣ１７に記載の無線通信装置。
［Ｃ２０］
前記第１の値を信号｛Ｘｉ｝として表し、前記第２の値を｛Ｙｉ｝ビットのシーケンスとして表すための手段をさらに具備し、前記独立した情報ストリーム値を結合するための前記手段は、式Ｚｉ＝｛Ｘｉ｝＊Ｑ｛Ｙｉ｝を利用し、ここで、Ｑは、前記第１の情報ストリームの最大値を表すＣ１７に記載の無線通信装置。
［Ｃ２１］
｛Ｘｉ｝は、ブロードキャストメッセージの選択されたブロックを示し、｛Ｙｉ｝は、前記選択されたブロック内における所在場所を示すＣ２０に記載の無線通信装置。
［Ｃ２２］
Ｚｉは、｛Ｘｉ｝によって占められるスペース及び｛Ｙｉ｝によって占められるスペースよりも大きいスペースを示すＣ２０に記載の無線通信装置。
［Ｃ２３］
機械によって読み取り可能な媒体であって、
第１の情報ストリームに第１の値を割り当て、
前記第１の情報ストリームに割り当てられた前記値から独立している第２の値を第２の情報ストリームに割り当て、
前記第１の値及び前記第２の値を結合して合成値を生成し、
高エネルギービーコン信号を含む波形であって前記合成値の関数である波形を送信するための機械によって実行可能な命令を格納している、機械によって読み取り可能な媒体。
［Ｃ２４］
前記第１の値は、第１の部分組のブロードキャスト情報を表し、前記第２の値は、第２の部分組のブロードキャスト情報を表すＣ２３に記載の機械によって読み取り可能な媒体。
［Ｃ２５］
無線通信システムにおいて、装置であって、
第１の情報ストリーム及び第２の情報ストリームに独立した値を割り当て、
高エネルギービーコン信号を含む波形において送信するために前記独立した値を結合するように構成されたプロセッサであって、前記独立した値は、選択的にコーディング及び復号することができ、前記波形は、前記結合された独立した値の関数であるプロセッサ、を具備する、装置。
［Ｃ２６］
基地局から情報を受信することを容易にする方法であって、
波形に含まれる高レベルのビーコン信号を受信することであって、前記波形は、第１の値及び第２の値の関数であることと、
前記第１の値を第１の情報ストリームとして解釈することと、
前記第２の値を第２の情報ストリームとして解釈すること、とを具備する、方法。
［Ｃ２７］
前記第１の情報ストリームは、第１の部分組のブロードキャスト情報を表し、前記第２の情報ストリームは、第２の部分組ブロードキャスト情報を表すＣ２６に記載の方法。
［Ｃ２８］
前記波形は、小さい自由度を占めるＣ２６に記載の方法。
［Ｃ２９］
前記第１の値を第１の情報ストリームとして解釈することは、
｛ｃｉ｝におけるビット｛Ｙｉ｝のシーケンスを決定することであって、｛Ｙｉ｝は、単一のビットを表すことと、
複数の情報ビット｛ｃｉ｝の各々を復号すること、とを具備するＣ２６に記載の方法。
［Ｃ３０］
前記第２の値を第２の情報ストリームとして解釈することは、
｛ｂｉ｝に含まれる｛Ｘｉ｝の関数である信号を受信することと、
情報ビット｛ｂｉ｝を復号すること、とを具備するＣ２６に記載の方法。
［Ｃ３１］
前記第１の値を解釈することは、｛Ｙｉ｝ビットのシーケンスを復号することを具備し、前記第２の値を解釈することは、信号｛Ｘｉ｝を復号することを具備するＣ２６に記載の方法。
［Ｃ３２］
前記信号｛Ｘｉ｝は、｛Ｙｉ｝ビットの前記シーケンスの周期性から独立している周期性を有するＣ３１に記載の方法。
［Ｃ３３］
前記第１の値及び前記第２の値の前記結合は、前記第１の情報ストリームのスペース及び前記第２の情報ストリームのスペースよりも大きいスペースを占める波形を具備するＣ２６に記載の方法。
［Ｃ３４］
前記高レベルビーコン信号は、その他の信号と実質的に同時に受信されるＣ２６記載の方法。
［Ｃ３５］
ビーコン信号において受信された情報を選択的に復号する無線通信装置であって、
高エネルギービーコン信号を含む波形であって第１の値及び第２の値を表す合成値の関数である波形を受信すること、前記第１の値を独立して復号して第１の部分組の情報を入手すること、及び前記第２の値を独立して復号して第２の部分組の情報を入手することに関連する命令を保持するメモリと、
前記メモリに結合され、前記メモリ内に保持される前記命令を実行するように構成されたプロセッサと、を具備する、無線通信装置。
［Ｃ３６］
前記第２のコーディング値は、前記第１の値のタイミングシーケンスと異なる間隔で繰り返すことができるタイミングシーケンスを提供するＣ３５に記載の無線通信装置。
［Ｃ３７］
前記波形を受信することは、前記ビーコン信号バーストを、その他の受信された信号バーストと比較して高エネルギーで受信されるとして識別することを含むＣ３５に記載の無線通信装置。
［Ｃ３８］
波形を表す２つの独立した情報ストリームを解読することを可能にする無線通信装置であって、
高エネルギービーコン信号を含む波形を受信するための手段と、
前記波形を独立した情報ストリーム値に分割するための手段と、
前記独立した情報ストリーム値からの第１の情報ストリームの第１の値及び第２の情報ストリームの第２の値を解読するための手段と、を具備する、無線通信装置。
［Ｃ３９］
前記第２の値の周期性と異なる前記第１の値の周期性を解釈するための手段をさらに具備するＣ３８に記載の無線通信装置。
［Ｃ４０］
高エネルギービーコン信号を受信するための前記手段は、前記波形マッピングを受信するのと実質的に同時にその他の信号を受信するＣ３８に記載の無線通信装置。
［Ｃ４１］
前記第１の情報ストリームを｛ｂｉ｝に含まれる信号｛Ｘｉ｝として解読するための手段と、前記第２の情報ストリームを｛ｃｉ｝に含まれる｛Ｙｉ｝のシーケンスとして解読するための手段であって、｛Ｙｉ｝は、単一のビットを表す手段と、をさらに具備するＣ３８に記載の無線通信装置。
［Ｃ４２］
｛Ｘｉ｝は、ブロードキャストメッセージの選択されたブロックを示し、｛Ｙｉ｝は、前記選択されたブロック内における所在場所を示すＣ４１に記載の無線通信装置。
［Ｃ４３］
機械によって読み取り可能な媒体であって、
高エネルギービーコン信号を含む波形であって、第２の値と結合された第１の値を具備する波形、を受信し、
前記結合された値から前記第１の値を再生成して第１の情報ストリームを導き出し、
前記結合された値から前記第２の値を再生成して第２の情報ストリームを導き出すための機械によって実行可能な命令を格納している、機械によって読み取り可能な媒体。
［Ｃ４４］
前記ビーコン信号をその他の受信されたビーコン信号と比較して高エネルギーで受信することをさらに具備するＣ４３に記載の機械によって読み取り可能な媒体。
［Ｃ４５］
前記第１の値は、第１の部分組のブロードキャスト情報を表し、前記第２の値は、第２の部分組みのブロードキャスト情報を表すＣ４３に記載の機械によって読み取り可能な媒体。
［Ｃ４６］
無線通信システムにおいて、装置であって、
２つの独立した値の結合を含む波形を受信し、
前記結合からの第１の独立した値を復号して第１の情報ストリームを入手し、
前記結合からの第２の独立した値を復号して第２の情報ストリームを入手するように構成されたプロセッサを具備する、装置。
【図１】
0005744823.tif 000004
【図２】
0005744823.tif 000005
【図３】
0005744823.tif 000006
【図４】
0005744823.tif 000007
【図５】
0005744823.tif 000008
【図６】
0005744823.tif 000009
【図７】
0005744823.tif 000010
【図８】
0005744823.tif 000011
【図９】
0005744823.tif 000012
【図１０】
0005744823.tif 000013
【図１１】
0005744823.tif 000014
【図１２】
0005744823.tif 000015
【図１３】
0005744823.tif 000016
【図１４】
0005744823.tif 000017
【図１５】
0005744823.tif 000018
【図１６】
0005744823.tif 000019
【図１７】
0005744823.tif 000020
【図１８】
0005744823.tif 000021
【図１９】
0005744823.tif 000022
【図２０】
0005744823.tif 000023
【図２１】
0005744823.tif 000024
【図２２】
0005744823.tif 000025
【図２３】
0005744823.tif 000026
【図２４】
0005744823.tif 000027
【図２５】
0005744823.tif 000028
【図２６】
0005744823.tif 000029
【図２７】
0005744823.tif 000030
【図２８】
0005744823.tif 000031
【図２９】
0005744823.tif 000032
【図３０】
0005744823.tif 000033
【図３１】
0005744823.tif 000034
【図３２】
0005744823.tif 000035
【図３３】
0005744823.tif 000036
【図３４】
0005744823.tif 000037
【図３５】
0005744823.tif 000038
【図３６】
0005744823.tif 000039
【図３７】
0005744823.tif 000040
【図３８】
0005744823.tif 000041
【図３９】
0005744823.tif 000042
【図４０】
0005744823.tif 000043
【図４１】
0005744823.tif 000044